(57)【要約】【課題】判定作業が簡便な家具用の荷重センサの家具用入力信号判定装置を提供すること。【解決手段】家具用入力信号判定装置３は、人を支持する支持面を備えた家具に加わる荷重を検知する複数の荷重センサ２ａ，２ｂ，２ｃ，２ｄと、各荷重センサ２ａ，２ｂ，２ｃ，２ｄからの複数の出力信号Ｓ１，Ｓ２，Ｓ３，Ｓ４を取得して複数の入力信号Ｎ１，Ｎ２，Ｎ３，Ｎ４を出力する取得部３０ａ，３０ｂ，３０ｃ，３０ｄと、支持面に予め設定されたテスト荷重付与位置にテスト荷重が加えられたとき、取得した入力信号Ｎ１，Ｎ２，Ｎ３，Ｎ４に基づき、各荷重センサ２ａ，２ｂ，２ｃ，２ｄに加わる荷重が変動するタイミングをそれぞれ検出する荷重変動タイミング検出部３５と、タイミングに基づき、各入力信号Ｎ１，Ｎ２，Ｎ３，Ｎ４と各出力信号Ｓ１，Ｓ２，Ｓ３，Ｓ４とを関連付けする関連付け部３６と、を備える。【選択図】図２
2018054589.tif 000002
【特許請求の範囲】
【請求項１】
人を支持する支持面と前記支持面の下に設けられた弾力を有する層とを有する敷物を備えた家具に加わる荷重を検知するために予め定められた複数のセンサ配置位置にそれぞれ配置される複数の荷重センサと、
前記複数の荷重センサからそれぞれ出力される複数の出力信号を取得し、前記複数の出力信号にそれぞれ対応した複数の入力信号を出力する取得部と、
前記取得部によって出力された前記複数の入力信号を取得し、かつ、前記支持面に予め設定されテスト荷重が加えられるテスト荷重付与位置に前記テスト荷重が加えられたとき、取得した前記複数の入力信号に基づいて、前記テスト荷重によって前記複数の荷重センサに加わる前記荷重が変動するタイミングをそれぞれ検出する荷重変動タイミング検出部と、
前記荷重変動タイミング検出部によって検出された前記タイミングに基づいて、前記各入力信号と前記各出力信号とを関連付けする関連付け部と、
を備えている家具用入力信号判定装置。
【請求項２】
前記各入力信号に基づいて前記各荷重センサに加えられた荷重の大きさを検出するセンサ荷重検出部を備え、
前記関連付け部は、前記タイミングおよび前記センサ荷重検出部により検出された前記荷重の大きさに基づいて、前記各入力信号と前記各出力信号とを関連付けする請求項１に記載の家具用入力信号判定装置。
【請求項３】
前記家具の前記支持面は平面視で長方形であり、前記支持面の４箇所の角部の位置がそれぞれ前記複数のセンサ配置位置と対応する構成とされ、
前記テスト荷重付与位置は、前記支持面の４箇所の前記角部の位置の何れかに設定されている請求項１又は２に記載の家具用入力信号判定装置。
【請求項４】
前記家具の前記支持面は平面視で正方形であり、前記支持面の４箇所の角部の位置がそれぞれ前記複数のセンサ配置位置と対応する構成とされ、
前記テスト荷重付与位置は、前記支持面の４箇所の前記角部の位置の何れかの前記角部の付近で且つ前記複数のセンサ配置位置と前記テスト荷重付与位置との各距離が互いに異なる位置に設定されている請求項１又は２に記載の家具用入力信号判定装置。
【請求項５】
前記家具は、前記家具の長さ方向又は幅方向に重心が偏った構成であり、
前記家具の前記重心の偏った側の部位は、前記複数のセンサ配置位置のうち少なくとも第一のセンサ配置位置を備え、前記第一のセンサ配置位置には前記複数の荷重センサのうち第一の荷重センサが配置され、
前記家具の前記重心の偏った側と反対側の部位は、前記複数のセンサ配置位置のうち少なくとも第二のセンサ配置位置を備え、前記第二のセンサ配置位置には前記複数の荷重センサのうち第二の荷重センサが配置され、
前記各入力信号のうちの前記第一の荷重センサからの出力信号に対応する入力信号である第一の入力信号を前記家具の前記重心の偏った側の部位の入力信号のグループである第一のグループと、前記各入力信号のうちの前記第二の荷重センサからの出力信号に対応する入力信号である第二の入力信号を前記家具の前記重心の偏った側と反対側の部位の入力信号のグループである第二のグループと、にグループ分けを実行する入力信号グループ分け実行部を備えている請求項１乃至４の何れか一項に記載の家具用入力信号判定装置。
【請求項６】
前記複数の入力信号から、前記複数の荷重センサによって検出された複数の荷重である複数の検出荷重の各々についての正負を導出する荷重正負導出部と、
前記複数の検出荷重のうち負の荷重が二つ以上あると前記荷重正負導出部によって導出された場合、前記複数の荷重センサの配置を変更された可能性である変更可能性を検出する変更可能性検出部と、
前記関連付け部によって前記各入力信号と前記各出力信号とが関連付けされた状態において前記変更可能性検出部によって前記変更可能性が検出された場合、前記テスト荷重を前記テスト荷重付与位置に加えるように作業者に通知する通知部と、をさらに備えている請求項１または請求項２に記載の家具用入力信号判定装置。
【請求項７】
前記複数の入力信号から、前記複数の荷重センサによって検出された複数の荷重である複数の検出荷重の各々についての正負を導出する荷重正負導出部と、
前記複数の検出荷重のうち負の荷重が二つ以上あると前記荷重正負導出部によって導出された場合、前記複数の荷重センサの配置を変更された可能性である変更可能性を検出する変更可能性検出部と、
使用者が離床した場合、前記使用者が離床した時点の直前の前記支持面の荷重分布である離床前荷重分布を、前記複数の入力信号から導出する荷重分布導出部と、
前記荷重分布導出部によって導出された前記離床前荷重分布を時系列に記憶する記憶部と、
前記変更可能性検出部によって前記変更可能性が検出された後に前記記憶部に前記離床前荷重分布が記憶された場合、前記記憶部に記憶された前記離床前荷重分布のうち、前記変更可能性検出部によって前記変更可能性が検出された時点である第一時点より前の前記離床前荷重分布に対して、前記第一時点より後の前記離床前荷重分布を比較した値である比較値を導出する比較値導出部と、
前記比較値導出部によって導出された前記比較値が所定値以上であるか否かを判定する比較値判定部と、をさらに備え、
前記関連付け部は、
前記各入力信号と前記各出力信号とが関連付けされた状態において、前記比較値判定部によって前記比較値が前記所定値以上であると判定された場合、前記第一時点より後の前記離床前荷重分布に対して前記各入力信号と前記各出力信号との関連を変更することにより得られる荷重分布が、前記第一時点より前の前記離床前荷重分布に近付くように、前記各入力信号と前記各出力信号とを再度関連付けする請求項１または請求項２に記載の家具用入力信号判定装置。
【発明の詳細な説明】
【技術分野】
【０００１】
本発明は、家具に設けられた複数の荷重センサからの各入力信号が何れの荷重センサからの出力信号に対応するかを判定する家具用入力信号判定装置に関するものである。
【背景技術】
【０００２】
家具の荷重センサの判定装置の一形態として、特許文献１に示されているものが知られている。特許文献１の判定装置は、家具の就寝面の所定の検査位置に荷重をかけた状態で、家具の複数の脚部に設けられて各荷重センサの計測値に基づいて家具の就寝面での荷重の重心位置を演算し、求めた重心位置と検査位置とを比較することによりセンサ位置を判定することが行われている。また判定の精度を向上するために、検査位置を複数個所に設定し、これら複数の検査位置に個別に荷重をかけて判定を行うことも記載されている。
【先行技術文献】
【特許文献】
【０００３】
【特許文献１】特開２０１５−１２３１１４号公報
【発明の概要】
【発明が解決しようとする課題】
【０００４】
特許文献１の判定装置は、検査位置と比較するために重心位置を演算しており、その分、判定にかかる処理効率がよいとは言えない。重心位置を求めるために、作業者が検査位置に荷重をかけている状態であることを装置に知らせる必要があり、判定の作業手順としては少なくとも、判定を開始する操作、検査位置に荷重をかける動作及び荷重をかけていることを知らせる操作が必要で、判定作業に手間がかかる問題があった。
【０００５】
そこで本発明は、こうした事情に鑑みてなされたものであり、判定作業が簡便な家具用入力信号判定装置を提供することを課題としてなされたものである。
【課題を解決するための手段】
【０００６】
上記課題を解決するため、請求項１に係る家具用入力信号判定装置は、人を支持する支持面と支持面の下に設けられた弾力を有する層とを有する敷物を備えた家具に加わる荷重を検知するために予め定められた複数のセンサ配置位置にそれぞれ配置される複数の荷重センサと、複数の荷重センサからそれぞれ出力される複数の出力信号を取得し、複数の出力信号にそれぞれ対応した複数の入力信号を出力する取得部と、取得部によって出力された複数の入力信号を取得し、かつ、支持面に予め設定されテスト荷重が加えられるテスト荷重付与位置にテスト荷重が加えられたとき、取得した複数の入力信号に基づいて、テスト荷重によって複数の荷重センサに加わる荷重が変動するタイミングをそれぞれ検出する荷重変動タイミング検出部と、荷重変動タイミング検出部によって検出されたタイミングに基づいて、各入力信号と各出力信号とを関連付けする関連付け部と、を備えている。
【発明の効果】
【０００７】
これによれば、荷重変動タイミング検出部は、予め設定されたテスト荷重付与位置にテスト荷重が加えられたとき、取得した各入力信号において荷重の変動するタイミングを検出することができる。また、テスト荷重付与位置と複数のセンサ配置位置とは、予め設定されているため、テスト荷重によって複数の荷重センサに加わる荷重が変動するタイミングは、予め把握することが可能となる。その結果、荷重の変動するタイミングを判別することが可能である。これを利用すれば、関連付け部は、荷重変動タイミング検出部によって検出されたタイミングに基づいて、各入力信号と各出力信号とを関連付けすることができる。ひいては、各荷重センサがいずれのセンサ配置位置に配置されているかの判定を簡便に行うことができる。その結果、判定作業が簡便である家具用入力信号判定装置を提供することができる。
【図面の簡単な説明】
【０００８】
【図１】本発明の第一実施形態に係る家具用入力信号判定装置を示す概略図である。
【図２】第一実施形態の家具用入力信号判定装置の構成を示すブロック図である。
【図３】第一実施形態の家具用入力信号判定装置で実行される第一センサ判定処理を示すフローチャートである。
【図４】第一実施形態の家具用入力信号判定装置の長方形のベッドにおけるテスト荷重付与位置と各センサ配置位置との関係を示す平面図である。
【図５】図４のテスト荷重付与位置にテスト荷重を加えたときにテスト荷重が荷重センサに作用する過程の一例を示す図である。
【図６】図４のテスト荷重付与位置にテスト荷重を加えたときの各荷重センサからの出力信号に対応して入力した各入力信号の荷重が変動するタイミングを示す図である。
【図７】第一実施形態の家具用入力信号判定装置の正方形のベッドにおけるテスト荷重付与位置と各センサ配置位置との関係を示す平面図である。
【図８】本発明の第二実施形態の家具用入力信号判定装置の構成を示すブロック図である。
【図９】第二実施形態の家具用入力信号判定装置で実行される第二センサ判定処理を示すフローチャートである。
【図１０】本発明の第三実施形態の家具用入力信号判定装置の構成を示すブロック図である。
【図１１】第三実施形態の家具用入力信号判定装置で実行される第三センサ判定処理を示すフローチャートである。
【図１２】本発明の家具用入力信号判定装置により判定可能なソファベッド等におけるテスト荷重付与位置と各脚部の荷重センサとの位置関係を示す平面図である。
【図１３】本発明の第四実施形態の家具用入力信号判定装置の構成を示すブロック図である。
【図１４】第四実施形態の家具用入力信号判定装置にて実行されるフローチャートである。
【図１５】本発明の第五実施形態の家具用入力信号判定装置の構成を示すブロック図である。
【図１６】第五実施形態の家具用入力信号判定装置にて実行されるフローチャートである。
【発明を実施するための形態】
【０００９】
〈第一実施形態〉
（１．装置の構成）
本発明による家具用入力信号判定装置の第一実施形態について図面を参照して説明する。図１に示すように、家具用入力信号判定装置（以降、単に判定装置ともいう）３は、複数の荷重センサ２ａ，２ｂ，２ｃ，２ｄからの出力信号Ｓ１，Ｓ２，Ｓ３，Ｓ４に対応して入力した各入力信号が何れの荷重センサ２ａ，２ｂ，２ｃ，２ｄからの出力信号Ｓ１，Ｓ２，Ｓ３，Ｓ４に対応するかを判定する装置である。
【００１０】
判定装置３は、家具であるベッド１に設けられた生体情報検出装置Ｔに内蔵されており、複数の荷重センサ２ａ，２ｂ，２ｃ，２ｄからの各出力信号に対応して生体情報検出装置Ｔに入力した各入力信号と、各荷重センサ２ａ，２ｂ，２ｃ，２ｄの各出力信号との関連付け（以降、センサ判定ともいう）を行う構成である。尚、センサ判定は、各入力信号が何れのセンサ配置位置に配置された荷重センサからの出力信号であるのか判定することである。
【００１１】
本実施形態に用いられる家具は、人を支持する支持面と、支持面の下に設けられた弾力を有する層とを有する敷物を備える。例えば、家具は、ベッド１である。敷物は、ベッド１のマットレスである。ベッド１は、人を支持する支持面１０１と、支持面１０１の下に設けられた弾力を有する層とを有するマットレス１０を備える。また、ベッド１は、マットレス１０を載置するベッドフレーム１１と、ヘッドボード１３とを有するものである。ベッドフレーム１１は、四隅にそれぞれ設けられた脚部１２ａ，１２ｂ，１２ｃ，１２ｄにより支えられている。ヘッドボード１３は、ベッド１の頭側の位置に起立姿勢で設けられた板部材である。ヘッドボード１３は、ベッドフレーム１１の前縁に沿って設けられ、脚部１２ａ、１２ｂにより支えられている。
【００１２】
生体情報検出装置Ｔは、ベッド１上の人の生体情報を検出するものである。生体情報は、ベッド上の人が睡眠中であるか覚醒しているかの判定や、人の睡眠中の体動、睡眠深度、心拍数等の情報である。生体情報検出装置Ｔは、ＣＰＵを備え、そのプログラム処理によりベッド１に就寝する人の生体情報の検出の制御が行われる。生体情報検出装置Ｔは、４つの荷重センサ２ａ，２ｂ，２ｃ，２ｄが有線又は無線により電気的に接続されており、各荷重センサ２ａ，２ｂ，２ｃ，２ｄからの各出力信号Ｓ１，Ｓ２，Ｓ３，Ｓ４を受信可能である。この場合、例えば、生体情報検出装置Ｔは小型のケース部材に格納され、ベッド１下に収納されている。
【００１３】
これら荷重センサ２ａ，２ｂ，２ｃ，２ｄは、ベッドに加わる荷重を検知するものである。荷重センサ２ａ，２ｂ，２ｃ，２ｄは、ベッドに加わる荷重を検知するために予め定められた複数のセンサ配置位置５ａ，５ｂ，５ｃ，５ｄに配置されている。
センサ配置位置５ａ，５ｂ，５ｃ，５ｄはそれぞれ、荷重センサ２ａ，２ｂ，２ｃ，２ｄを配置するべき位置である。
【００１４】
センサ配置位置５ａは、ベッド１の脚部１２ａの下端に設けられている。センサ配置位置５ａには、荷重センサ２ｃが設置されている。荷重センサ２ｃには、その検知部に脚部１２ａが載置されている。
センサ配置位置５ｂは、脚部１２ｂの下端に設けられている。センサ配置位置５ｂには、荷重センサ２ｄが設置されている。荷重センサ２ｄには、その検知部に脚部１２ｂが載置されている。
センサ配置位置５ｃは、脚部１２ｃの下端に設けられている。センサ配置位置５ｃには、荷重センサ２ｂが設置されている。荷重センサ２ｂには、その検知部に脚部１２ｃが載置されている。
センサ配置位置５ｄは、脚部１２ｄの下端に設けられている。センサ配置位置５ｄには、荷重センサ２ａが設置されている。荷重センサ２ａには、その検知部に脚部１２ｂが載置されている。
【００１５】
このように各荷重センサ２ａ，２ｂ，２ｃ，２ｄは、それぞれ、床面Ｇ（図５参照）と各脚部１２ａ，１２ｂ，１２ｃ，１２ｄとで挟まれた状態（各荷重センサ２ａ，２ｂ，２ｃ，２ｄの上面が、各脚部１２ａ，１２ｂ，１２ｃ，１２ｄの下端（底面）に着脱可能に接触した状態）で、荷重を検知するように構成されている。
例えば、各荷重センサ２ａ，２ｂ，２ｃ，２ｄは公知のストレインゲージが用いられ、荷重を検知した出力信号（電圧信号）が生体情報検出装置Ｔへ出力される。尚、荷重センサとして感圧ゴムを用いることも可能であり、ストレインゲージに限るものではない。
【００１６】
尚、図例の各荷重センサ２ａ，２ｂ，２ｃ，２ｄの配置は、一つの配置例であって、何れの荷重センサ２ａ，２ｂ，２ｃ，２ｄが何れの脚部１２ａ，１２ｂ，１２ｃ，１２ｄの下端に配置されてもよい。
【００１７】
次に、図１および図２を用いて、判定装置３の電気ブロック構成を説明する。判定装置３は、生体情報検出装置ＴのＣＰＵのプログラム処理により制御される。よって、判定装置３の電気ブロック構成は、生体情報検出装置Ｔのそれと共通であり、ここでは生体情報検出装置Ｔの構成も交えて説明する。
【００１８】
図１および図２に示すように、判定装置３は、複数の荷重センサ２ａ，２ｂ，２ｃ，２ｄからそれぞれ出力される複数の出力信号Ｓ１，Ｓ２，Ｓ３，Ｓ４を取得し、複数の出力信号Ｓ１，Ｓ２，Ｓ３，Ｓ４にそれぞれ対応した複数の入力信号Ｎ１，Ｎ２，Ｎ３，Ｎ４を出力する第一取得部３０ａ、第二取得部３０ｂ、第三取得部３０ｃ、第四取得部３０ｄを備えている。
【００１９】
第一取得部３０ａは、荷重センサ２ｃと接続され、荷重センサ２ｃの出力信号Ｓ３を取得する構成とされている。そして、第一取得部３０ａは、取得した出力信号Ｓ３を入力信号Ｎ１として算出部３１等へ向けて出力する。
第二取得部３０ｂは、荷重センサ２ｄと接続され、荷重センサ２ｄの出力信号Ｓ４を取得する構成とされている。そして、第二取得部３０ｂは、取得した出力信号Ｓ４を入力信号Ｎ２として算出部３１等へ向けて出力する。
第三取得部３０ｃは、荷重センサ２ｂと接続され、荷重センサ２ｂの出力信号Ｓ２を取得する構成とされている。そして、第三取得部３０ｃは、取得した出力信号Ｓ２を入力信号Ｎ３として算出部３１等へ向けて出力する。
第四取得部３０ｄは、荷重センサ２ａと接続され、荷重センサ２ａの出力信号Ｓ１を取得する構成とされている。そして、第四取得部３０ｄは、取得した出力信号Ｓ１を入力信号Ｎ４として算出部３１等へ向けて出力する。
【００２０】
尚、図例の第一乃至第四取得部３０ａ，３０ｂ，３０ｃ，３０ｄと各荷重センサ２ａ，２ｂ，２ｃ，２ｄの接続は、一つの接続例であって、何れの第一乃至第四取得部３０ａ，３０ｂ，３０ｃ，３０ｄに何れの荷重センサ２ａ，２ｂ，２ｃ，２ｄが接続されてもよい。
【００２１】
算出部３１は、各荷重センサ２ａ，２ｂ，２ｃ，２ｄからの出力信号に対応して入力した各入力信号Ｎ１，Ｎ２，Ｎ３，Ｎ４に基づいてベッド１上に存在する人の重心位置を少なくとも算出するものである。
算出部３１は、重心算出部３２を備えている。重心算出部３２は、各入力信号Ｎ１，Ｎ２，Ｎ３，Ｎ４に基づき、ベッド１上に人がいる在床状態と人がいない離床状態とを判定したり、在床状態の人の重心位置を算出する。
【００２２】
また算出部３１は、生体情報検出部３３を備えている。生体情報検出部３３は、各入力信号Ｎ１，Ｎ２，Ｎ３，Ｎ４に基づき、ベッド上の人が睡眠中であるか覚醒しているかの判定や、人の睡眠中の体動、睡眠深度、心拍数等の生体情報を取得する。
【００２３】
判定装置３は、通信装置３４を備え、通信装置３４により例えば携帯電話等のディスプレイを有する入力装置（携帯端末）４（図１参照）との双方向の無線通信が可能である。これにより判定装置３は、生体情報等含む出力情報を入力装置４へ出力可能で、且つ入力装置４からの操作指令等が入力される。
【００２４】
判定装置３は、荷重変動タイミング検出部３５を備えている。荷重変動タイミング検出部３５は、第一乃至第四取得部３０ａ，３０ｂ，３０ｃ，３０ｄによって出力された複数の入力信号Ｎ１，Ｎ２，Ｎ３，Ｎ４を取得する。荷重変動タイミング検出部３５は、センサ判定の際に、支持面１０１に設定されたテスト荷重付与位置Ｐ１（図４参照）にテスト荷重が加えられたとき、各入力信号Ｎ１，Ｎ２，Ｎ３，Ｎ４においてテスト荷重によって荷重が変動するタイミングをそれぞれ検出する。
【００２５】
また判定装置３は、関連付け部３６を備えている。関連付け部３６は、荷重変動タイミング検出部３５によって検出された荷重が変動するタイミングに基づいて、各入力信号Ｎ１，Ｎ２，Ｎ３，Ｎ４と各荷重センサ２ａ，２ｂ，２ｃ，２ｄの各出力信号Ｓ１，Ｓ２，Ｓ３，Ｓ４との関連付けを行う。
【００２６】
（２．センサ判定の制御）
次に判定装置３によるセンサ判定の制御内容について説明する。
センサ判定は、各荷重センサ２ａ，２ｂ，２ｃ，２ｄをベッド１の各脚部１２ａ，１２ｂ，１２ｃ，１２ｄの下に設置した後、実質的に生体情報検出装置Ｔを起動させて生体情報を取得する前に行う。即ち、判定装置３は、各脚部１２ａ，１２ｂ，１２ｃ，１２ｄに対応する各荷重センサ２ａ，２ｂ，２ｃ，２ｄの各出力信号Ｓ１，Ｓ２，Ｓ３，Ｓ４と各入力信号Ｎ１，Ｎ２，Ｎ３，Ｎ４との関連付けを行う必要がある。
【００２７】
センサ判定の作業手順は、先ず、作業者がセンサ判定を実行するように入力装置４を操作することで開始される。作業者は、例えば、生体情報検出装置Ｔを設置する者、または、生体情報検出装置Ｔが設置されたベッド１を使用する使用者である。開始操作を行った後、作業者は、ベッド１の支持面１０１（図１参照）の予め設定された所定のテスト荷重付与位置Ｐ１（図４参照）にテスト荷重を加える。テスト荷重付与位置Ｐ１は、支持面１０１に予め設定されており、テスト荷重を加える位置である。テスト荷重付与位置Ｐ１は、予め判定装置３に記憶されている。テスト荷重付与位置Ｐ１は、入力装置４の開始操作が行われた後に、入力装置４のディスプレイに表示される。また、テスト荷重付与位置Ｐ１は、生体情報検出装置Ｔのマニュアル等に記載しておくことが望ましい。
作業者は、入力装置４の表示、又はマニュアル等に記載された指示に従ってテスト荷重付与位置Ｐ１にテスト荷重を加える。
【００２８】
以下、センサ判定の制御について、図３に示す第一センサ判定処理に基づいて説明する。第一センサ判定処理は、判定装置３のＣＰＵで実行されるプログラム処理である。
【００２９】
図３に示すように、第一センサ判定処理では、先ず、判定装置３は、入力装置４から判定開始操作信号を受信したか否かを判定する（Ｓ１０）。否定判定であれば（Ｓ１０：ＮＯ）、判定装置３は、処理を終了する。肯定判定（Ｓ１０：ＹＥＳ）であれば、判定装置３は、センサ判定を開始し、第一乃至第四取得部３０ａ，３０ｂ，３０ｃ，３０ｄを介して取得された各入力信号Ｎ１，Ｎ２，Ｎ３，Ｎ４の荷重をそれぞれオフセットする処理（センサ荷重オフセット処理）を行う（Ｓ１１）。
【００３０】
各荷重センサ２ａ，２ｂ，２ｃ，２ｄにはそれぞれ、常時、ベッド１の荷重が作用しており、更にヘッドボード１３側、即ち頭側の脚部１２ａ，１２ｂと足側の脚部１２ｃ、１２ｄとで各荷重センサ２ａ，２ｂ，２ｃ，２ｄに作用する荷重の大きさが異なる。そこで、判定装置３は、Ｓ１１のセンサ荷重オフセット処理においては、各入力信号Ｎ１，Ｎ２，Ｎ３，Ｎ４の荷重を見かけ上「ゼロ」に設定する。
【００３１】
その後、判定装置３は、作業者により所定のテスト荷重付与位置Ｐ１（図４参照）にテスト荷重が加えられ、第一乃至第四取得部３０ａ，３０ｂ，３０ｃ，３０ｄで取得したテスト荷重に対応する各入力信号Ｎ１，Ｎ２，Ｎ３，Ｎ４が有るか否かを判定する（Ｓ１２）。ここで否定判定であれば（Ｓ１２：ＮＯ）、判定装置３は、テスト荷重に対応する全ての入力信号Ｎ１，Ｎ２，Ｎ３，Ｎ４が有るまで本処理を繰り返す。
【００３２】
テスト荷重に対応する全ての入力信号Ｎ１，Ｎ２，Ｎ３，Ｎ４が有れば（Ｓ１２：ＹＥＳ）、判定装置３は、各入力信号Ｎ１，Ｎ２，Ｎ３，Ｎ４の荷重の変動が発生したタイミングの順序を確認する（Ｓ１３；変動タイミング確認処理（荷重変動タイミング検出部３５））。
【００３３】
その後、判定装置３は、各入力信号Ｎ１，Ｎ２，Ｎ３，Ｎ４の荷重が変動するタイミングに基づいて、各入力信号Ｎ１，Ｎ２，Ｎ３，Ｎ４と各荷重センサ２ａ，２ｂ，２ｃ，２ｄからの各出力信号Ｓ１，Ｓ２，Ｓ３，Ｓ４との関連付けを行う（Ｓ１４；信号関連付け処理（関連付け部３６））。
【００３４】
即ち、テスト荷重付与位置Ｐ１とセンサ配置位置５ａ，５ｂ，５ｃ，５ｄとの間の距離が近ければ、テスト荷重は、遠い場合と比較して、センサまでの到達に時間がかからないので、入力信号の荷重が変動するタイミングが早くなる。一方、テスト荷重は、テスト荷重付与位置Ｐ１とセンサ配置位置５ａ，５ｂ，５ｃ，５ｄとの間の距離が遠ければ入力信号のタイミングが遅くなる。即ち、遠くなるにつれて荷重が変動するタイミングが遅くなる。
これらのことから、判定装置３は、入力信号Ｎ１，Ｎ２，Ｎ３，Ｎ４が何れのセンサ配置位置５ａ，５ｂ，５ｃ，５ｄに配置された荷重センサ２ａ，２ｂ，２ｃ，２ｄからの出力信号Ｓ１，Ｓ２，Ｓ３，Ｓ４であるのか判定することができる。
【００３５】
そして、判定装置３は、各入力信号Ｎ１，Ｎ２，Ｎ３，Ｎ４と各出力信号Ｓ１，Ｓ２，Ｓ３，Ｓ４との関連付けした結果、即ち、各入力信号Ｎ１，Ｎ２，Ｎ３，Ｎ４が何れの脚部１２ａ，１２ｂ，１２ｃ，１２ｄの荷重センサ２ａ，２ｂ，２ｃ，２ｄからの出力信号Ｓ１，Ｓ２，Ｓ３，Ｓ４であるかの情報を、生体情報検出装置Ｔによる重心位置の算出や生体情報の検出に用いられる情報として算出部３１に設定せしめる（Ｓ１５；信号設定処理）。その後、判定装置３は、処理を終了する。
【００３６】
（３．第一センサ判定例）
次に、図４乃至図６を用いて、長方形の支持面１０１を有するベッド１における具体的な第一センサ判定例を説明する。図４に示すように、ベッド１の支持面１０１は平面視で長方形であり、支持面１０１の４箇所の角部Ｋ１，Ｋ２，Ｋ３，Ｋ４の位置がそれぞれセンサ配置位置５ａ，５ｂ，５ｃ，５ｄと対応する。所定のテスト荷重付与位置Ｐ１は、ベッド１の支持面１０１の４箇所の角部Ｋ１，Ｋ２，Ｋ３，Ｋ４の位置の何れかの位置に設定されている。図例では、テスト荷重付与位置Ｐ１は、支持面１０１の頭側の一方の角部Ｋ１に予め設定されており、ベッド１の頭側の一方の脚部１２ａに対応するセンサ配置位置５ａに配置された荷重センサ２ｃのほぼ直上位置とされている。
【００３７】
また、テスト荷重付与位置Ｐ１は、平面視におけるセンサ配置位置５ｂに対応する支持面１０１上の上面位置６ｂから距離Ｌ２だけ離れている。
更に、テスト荷重付与位置Ｐ１は、平面視におけるセンサ配置位置５ｃに対応する支持面１０１上の上面位置６ｃから距離Ｌ３だけ離れている。
更にまた、テスト荷重付与位置Ｐ１は、平面視におけるセンサ配置位置５ｄに対応する支持面１０１上の上面位置６ｄから距離Ｌ４だけ離れている。
図例では、各距離Ｌ２，Ｌ３，Ｌ４は、テスト荷重付与位置Ｐ１と各上面位置６ｂ，６ｃ，６ｄとの中心間の距離としている。
【００３８】
そして、テスト荷重付与位置Ｐ１は、距離Ｌ２よりも、距離Ｌ３が長くなるように設定されている。更に、テスト荷重付与位置Ｐ１は、距離Ｌ３よりも、距離Ｌ４が長くなるように設定されている。
【００３９】
ここで、図５に基づいて、テスト荷重付与位置Ｐ１に加えたテスト荷重が荷重センサ２ａ，２ｂ，２ｃ，２ｄへ至る過程を、荷重センサ２ａ，２ｂへの過程を図例に挙げて説明する。
荷重センサ２ｃへ向けての経路としては、テスト荷重は、テスト荷重付与位置Ｐ１からマットレス１０内をほぼ鉛直下方（矢印Ｙ１方向）にマットレス１０下面へ伝わり、更に脚部１２ａに沿ってほぼ鉛直下方（矢印Ｙ２方向）に伝わり、荷重センサ２ｃに到達することとなる。
【００４０】
荷重センサ２ｄへ向けての経路としては、テスト荷重は、テスト荷重付与位置Ｐ１から角部Ｋ２の下面へ向けて、マットレス１０内を斜め下方（矢印Ｙ３方向）に伝わり、更に角部Ｋ２の下面から脚部１２ｂに沿ってほぼ鉛直下方（矢印Ｙ４方向）に伝わり、荷重センサ２ｃに到達することとなる。
【００４１】
図は省略するが、荷重センサ２ｂへ向けての経路としては、テスト荷重は、テスト荷重付与位置Ｐ１から角部Ｋ３の下面へ向けて、マットレス１０内を斜め下方に伝わり、更に角部Ｋ３の下面から脚部１２ｃに沿ってほぼ鉛直下方に伝わり、荷重センサ２ｂに到達することとなる。
同様に、荷重センサ２ａへ向けての経路としては、テスト荷重は、テスト荷重付与位置Ｐ１から角部Ｋ４の下面へ向けて、マットレス１０内を斜め下方に伝わり、更に角部Ｋ４の下面から脚部１２ａに沿ってほぼ鉛直下方に伝わり、荷重センサ２ｂに到達することとなる。
【００４２】
これらのように、テスト荷重付与位置Ｐ１から各荷重センサ２ａ，２ｂ，２ｃ，２ｄに至るテスト荷重の経路は、何れもマットレス１０の厚み、および、各脚部１２ａ，１２ｂ，１２ｃ，１２ｄの高さ分の距離を伝わる条件が同じである。従って、テスト荷重付与位置Ｐ１と各荷重センサ２ａ，２ｂ，２ｃ，２ｄとの距離は、マットレス１０の厚み分、および、各脚部１２ａ，１２ｂ，１２ｃ，１２ｄの高さ分を除外して、平面視における距離Ｌ２，Ｌ３，Ｌ４と置換することができる。
【００４３】
このように設定されたテスト荷重付与位置Ｐ１にテスト荷重を加えると、判定装置３は、テスト荷重付与位置Ｐ１との距離が最も近いベッド１の頭側の一方の脚部１２ａに対応する荷重センサ２ｃからの出力信号Ｓ３を最初に取得することとなる。判定装置３は、次に、テスト荷重付与位置Ｐ１との距離が２番目に近い頭側の他方の脚部１２ｂに対応する荷重センサ２ｄからの出力信号Ｓ４を取得し、３番目にベッド１の足側の一方の脚部１２ｃに対応する荷重センサ２ｂからの出力信号Ｓ２を取得する。そして、判定装置３は、最後に、テスト荷重付与位置Ｐ１との距離が最も遠い足側の他方の脚部１２ｄに対応する荷重センサ２ａからの出力信号Ｓ１を取得することとなる。
【００４４】
そして、図６に示すように、実際に、テスト荷重作用時点から時間ＴＭ１経過後の最も早い第一時刻ｔ１に入力信号Ｎ１の荷重が変動したのであれば、判定装置３は、入力信号Ｎ１がベッド１の頭側の一方の脚部１２ａに対応する荷重センサ２ｃの出力信号Ｓ３であると関連付ける。
次に、テスト荷重作用時点から時間ＴＭ２経過した２番目の第二時刻ｔ２に入力信号Ｎ２の荷重が変動したのであれば、判定装置３は、入力信号Ｎ２がベッド１の頭側の他方の脚部１２ｂに対応する荷重センサ２ｄの出力信号Ｓ４であると関連付ける。
次に、テスト荷重作用時点から時間ＴＭ３経過後の３番目の第三時刻ｔ３に入力信号Ｎ３の荷重が変動したのであれば、判定装置３は、入力信号Ｎ３がベッド１の足側の一方の脚部１２ｃに対応する荷重センサ２ｂの出力信号Ｓ２であると関連付ける。
最後に、テスト荷重作用時点から時間ＴＭ４経過後の第四時刻ｔ４に入力信号Ｎ４の荷重が変動したのであれば、判定装置３は、入力信号Ｎ４がベッド１の足側の他方の脚部１２ｄに対応する荷重センサ２ａの出力信号Ｓ１であると関連付ける。
【００４５】
（４．第二センサ判定例）
次に、第二センサ判定例として、図７に示すように、マットレス１０ａに正方形の支持面１０２を有するベッド１Ａにおけるセンサ判定を説明する。ベッド１Ａの支持面１０２は平面視で正方形であり、支持面１０２の４箇所の角部Ｋ１，Ｋ２，Ｋ３，Ｋ４の位置がそれぞれセンサ配置位置５ａ，５ｂ，５ｃ，５ｄと対応する。
支持面１０２が正方形のベッド１Ａにおける所定のテスト荷重付与位置Ｐ２は、ベッド１Ａの支持面１０２の４箇所の角部Ｋ１，Ｋ２，Ｋ３，Ｋ４の位置の何れかの角部Ｋ１，Ｋ２，Ｋ３，Ｋ４の付近の位置に設定されている。かつ、テスト荷重付与位置Ｐ２は、複数のセンサ配置位置５ａ，５ｂ，５ｃ，５ｄとの距離が互いに異なる位置に設定されている。図例では、テスト荷重付与位置Ｐ２は、支持面１０２の頭側の一方の角部Ｋ１の近傍の位置で、且つこの位置から各脚部１２ａ，１２ｂ，１２ｃ，１２ｄに対応する各荷重センサ２ａ，２ｂ，２ｃ，２ｄまでの距離がそれぞれ異なる位置に予め設定されている。
【００４６】
テスト荷重付与位置Ｐ２は、平面視におけるセンサ配置位置５ａに対応する支持面１０１上の上面位置６ａから距離Ｌ１だけ離れている。
また、テスト荷重付与位置Ｐ２は、平面視におけるセンサ配置位置５ｂに対応する支持面１０１上の上面位置６ｂから距離Ｌ２だけ離れている。
更に、テスト荷重付与位置Ｐ２は、平面視におけるセンサ配置位置５ｃに対応する支持面１０１上の上面位置６ｃから距離Ｌ３だけ離れている。
更にまた、テスト荷重付与位置Ｐ２は、平面視におけるセンサ配置位置５ｄに対応する支持面１０１上の上面位置６ｄから距離Ｌ４だけ離れている。
図例では、各距離Ｌ１，Ｌ２，Ｌ３，Ｌ４は、テスト荷重付与位置Ｐ２と各上面位置６ａ，６ｂ，６ｃ，６ｄとの中心間の距離としている。
【００４７】
即ち、所定のテスト荷重付与位置Ｐ２は、距離Ｌ１よりも、距離Ｌ３が長くなるように設定されている。更に距離Ｌ３よりも、距離Ｌ２が長くなるように設定されている。更にまた距離Ｌ２よりも、距離Ｌ４が長くなるように設定されている。
【００４８】
このように設定された所定のテスト荷重付与位置Ｐ２に荷重を加えると、判定装置３は、テスト荷重付与位置Ｐ２との距離が最も近いベッド１の頭側の一方の脚部１２ａに対応する荷重センサ２ｃからの出力信号Ｓ３を最初に取得する。判定装置３は、次に足側の一方の脚部１２ｃに対応する荷重センサ２ｂからの出力信号Ｓ２を取得する。判定装置３は、３番目にベッド１の頭側の他方の脚部１２ｂに対応する荷重センサ２ｄからの出力信号Ｓ４を取得する。判定装置３は、最後に足側の他方の脚部１２ｄに対応する荷重センサ２ａからの出力信号Ｓ１を取得することとなる。
【００４９】
図は省略するが、第一乃至第四取得部３０ａ，３０ｂ，３０ｃ，３０ｄで取得された入力信号の荷重の変動が、入力信号Ｎ１、入力信号Ｎ３、入力信号Ｎ２、入力信号Ｎ４の順であるとする。この場合、判定装置３は、入力信号Ｎ１がベッド１の頭側の一方の脚部１２ａに対応する荷重センサ２ｃの出力信号Ｓ３であると関連付ける。また判定装置３は、入力信号Ｎ２がベッド１の頭側の他方の脚部１２ｂに対応する荷重センサ２ｄの出力信号Ｓ４であり、入力信号Ｎ３はベッド１の足側の一方の脚部１２ｃに対応する荷重センサ２ｂの出力信号Ｓ２であると関連付ける。更に、判定装置３は、入力信号Ｎ４がベッド１の足側の他方の脚部１２ｄに対応する荷重センサ２ａの出力信号Ｓ１であることを関連付けることができる。
【００５０】
〈第一実施形態の効果〉
本実施形態から明らかなように、判定装置３は、人を支持する支持面１０１，１０２と支持面１０１，１０２の下に設けられた弾力を有する層とを有するマットレス１０を備えたベッド１，１Ａに加わる荷重を検知するために予め定められた複数のセンサ配置位置５ａ，５ｂ，５ｃ，５ｄにそれぞれ配置される複数の荷重センサ２ａ，２ｂ，２ｃ，２ｄと、複数の荷重センサ２ａ，２ｂ，２ｃ，２ｄからそれぞれ出力される複数の出力信号Ｓ１，Ｓ２，Ｓ３，Ｓ４を取得し、複数の出力信号Ｓ１，Ｓ２，Ｓ３，Ｓ４にそれぞれ対応した複数の入力信号Ｎ１，Ｎ２，Ｎ３，Ｎ４を出力する第一取得部３０ａ、第二取得部３０ｂ、第三取得部３０ｃ、第四取得部３０ｄと、第一取得部３０ａ、第二取得部３０ｂ、第三取得部３０ｃ、第四取得部３０ｄによって出力された複数の入力信号Ｎ１，Ｎ２，Ｎ３，Ｎ４を取得し、かつ、支持面１０１，１０２に予め設定されテスト荷重が加えられるテスト荷重付与位置Ｐ１，Ｐ２にテスト荷重が加えられたとき、取得した複数の入力信号Ｎ１，Ｎ２，Ｎ３，Ｎ４に基づいて、テスト荷重によって複数の荷重センサ２ａ，２ｂ，２ｃ，２ｄに加わる荷重が変動するタイミングをそれぞれ検出する荷重変動タイミング検出部３５と、荷重変動タイミング検出部３５によって検出されたタイミングに基づいて、各入力信号Ｎ１，Ｎ２，Ｎ３，Ｎ４と各出力信号Ｓ１，Ｓ２，Ｓ３，Ｓ４とを関連付けする関連付け部３６と、を備えている。
【００５１】
これによれば、荷重変動タイミング検出部３５は、予め設定されたテスト荷重付与位置Ｐ１，Ｐ２にテスト荷重が加えられたとき、取得した各入力信号Ｎ１，Ｎ２，Ｎ３，Ｎ４において荷重の変動するタイミングを検出することができる。また、テスト荷重付与位置Ｐ１，Ｐ２と複数のセンサ配置位置５ａ，５ｂ，５ｃ，５ｄとは、予め設定されているため、テスト荷重によって複数の荷重センサ２ａ，２ｂ，２ｃ，２ｄに加わる荷重が変動するタイミングは、予め把握することが可能となる。その結果、荷重の変動するタイミングを判別することが可能である。これを利用すれば、関連付け部３６は、荷重変動タイミング検出部３５によって検出されたタイミングに基づいて、各入力信号Ｎ１，Ｎ２，Ｎ３，Ｎ４と各出力信号Ｓ１，Ｓ２，Ｓ３，Ｓ４とを関連付けすることができる。
【００５２】
即ち、入力信号Ｎ１，Ｎ２，Ｎ３，Ｎ４の荷重が変動するタイミングは、テスト荷重付与位置Ｐ１，Ｐ２とセンサ配置位置５ａ，５ｂ，５ｃ，５ｄとの間の距離が遠くなれば、入力信号の荷重が変動するタイミングが遅くなる。このことから、判定装置３は、入力信号Ｎ１，Ｎ２，Ｎ３，Ｎ４の荷重が変動するタイミングの順序により、入力信号Ｎ１，Ｎ２，Ｎ３，Ｎ４が何れのセンサ配置位置５ａ，５ｂ，５ｃ，５ｄに配置された荷重センサ２ａ，２ｂ，２ｃ，２ｄからの出力信号Ｓ１，Ｓ２，Ｓ３，Ｓ４であるのか判定することができる。
【００５３】
従って、従来技術のように重心位置を算出する必要がなく、ＣＰＵなどの処理の負担を軽減することができ、効率のよい判定が可能である。また、各入力信号Ｎ１，Ｎ２，Ｎ３，Ｎ４の荷重が変動するタイミングが分かればよく、荷重が変動するタイミングはテスト荷重付与位置Ｐ１，Ｐ２にテスト荷重を加えることで必然に検出され得るので、テスト荷重付与位置Ｐ１，Ｐ２にテスト荷重を加えたことを示す操作が不要で、判定作業が簡便である。
【００５４】
また、本実施形態において、ベッド１の支持面１０１は、平面視で長方形であり、支持面１０１の４箇所の角部Ｋ１，Ｋ２，Ｋ３，Ｋ４がそれぞれ複数のセンサ配置位置５ａ，５ｂ，５ｃ，５ｄと対応する構成とされ、テスト荷重付与位置Ｐ１は、支持面１０１の４箇所の角部Ｋ１，Ｋ２，Ｋ３，Ｋ４の何れかに設定した。
【００５５】
これによれば、テスト荷重付与位置Ｐ１と複数の各センサ配置位置５ａ，５ｂ，５ｃ，５ｄとの距離が互いに異なる距離となる。従って、テスト荷重による各入力信号Ｎ１，Ｎ２，Ｎ３，Ｎ４の荷重の変動タイミングの差異が確実に生じるので、効率よく入力信号Ｎ１，Ｎ２，Ｎ３，Ｎ４と出力信号Ｓ１，Ｓ２，Ｓ３，Ｓ４とを関連付けを行うことができる。
【００５６】
更に、本実施形態の他の構成において、ベッド１Ａの支持面１０２は、平面視で正方形であり、支持面１０２の４箇所の角部Ｋ１，Ｋ２，Ｋ３，Ｋ４がそれぞれ複数のセンサ配置位置５ａ，５ｂ，５ｃ，５ｄと対応する構成とされ、テスト荷重付与位置Ｐ２は、支持面１０２の４箇所の角部Ｋ１，Ｋ２，Ｋ３，Ｋ４の位置の何れかの角部Ｋ１，Ｋ２，Ｋ３，Ｋ４付近で且つ複数のセンサ配置位置５ａ，５ｂ，５ｃ，５ｄとテスト荷重付与位置Ｐ２との各距離が互いに異なる位置に設定した。
【００５７】
これによれば、テスト荷重による各入力信号Ｎ１，Ｎ２，Ｎ３，Ｎ４の荷重の変動タイミングの差異が確実に生じるので、正方形の支持面１０２を有するベッド１Ａにおいても効率よく入力信号Ｎ１，Ｎ２，Ｎ３，Ｎ４と出力信号Ｓ１，Ｓ２，Ｓ３，Ｓ４とを関連付けを行うことができる。
【００５８】
〈第二実施形態〉
次に本発明の第二実施形態について説明する。
本実施形態の判定装置３Ａは、取得した各入力信号Ｎ１，Ｎ２，Ｎ３，Ｎ４の変動のタイミングおよび各荷重センサ２ａ，２ｂ，２ｃ，２ｄに加えられた荷重の大きさに基づいて、各入力信号Ｎ１，Ｎ２，Ｎ３，Ｎ４と各荷重センサ２ａ，２ｂ，２ｃ，２ｄからの出力信号Ｓ１，Ｓ２，Ｓ３，Ｓ４との関連付けを行う構成である。尚、本実施形態の基本構成は第一実施形態のそれと同一であり、相違点を中心に説明し、図における同一部材は同一符号で示し、それらの説明を省略する。
【００５９】
図８に示すように、本実施形態の判定装置３Ａは、センサ荷重検出部３７を備えている。センサ荷重検出部３７は、第一乃至第四取得部３０ａ，３０ｂ，３０ｃ，３０ｄにより取得した各入力信号Ｎ１，Ｎ２，Ｎ３，Ｎ４に応じて各荷重センサ２ａ，２ｂ，２ｃ，２ｄに加えられた荷重の大きさを検出する。そして、関連付け部３６は、荷重変動タイミング検出部３５による各入力信号Ｎ１，Ｎ２，Ｎ３，Ｎ４の変動タイミング、および、センサ荷重検出部３７により検出された各荷重センサ２ａ，２ｂ，２ｃ，２ｄの荷重の大きさに基づいて、各入力信号Ｎ１，Ｎ２，Ｎ３，Ｎ４と各出力信号Ｓ１，Ｓ２，Ｓ３，Ｓ４との関連付けを行う。
【００６０】
本実施形態におけるセンサ判定の作業手順は、第一実施形態と同様に、作業者がセンサ判定を実行するように入力装置４を操作することで開始される。その後、作業者は、ベッド１の支持面１０１，１０２（図４、図７）の所定のテスト荷重付与位置Ｐ１，Ｐ２（図４、図７）にテスト荷重を加える。これによりセンサ判定が実行される。
【００６１】
センサ判定は、図９に示す第二センサ判定処理により制御される。第二センサ判定処理において、判定装置３Ａは、先ず、入力装置４から判定開始操作信号を受信したか否かを判定する（Ｓ２０）。否定判定であれば（Ｓ２０：ＮＯ）、判定装置３Ａは、処理を終了する。肯定判定（Ｓ２０：ＹＥＳ）であれば、判定装置３Ａは、第一乃至第四取得部３０ａ，３０ｂ，３０ｃ，３０ｄを介して取得された各入力信号Ｎ１，Ｎ２，Ｎ３，Ｎ４の荷重をそれぞれオフセットする処理を行う（Ｓ２１）。これにより、判定装置３Ａは、各入力信号Ｎ１，Ｎ２，Ｎ３，Ｎ４の荷重を見かけ上「ゼロ」に設定する。
【００６２】
その後、判定装置３Ａは、作業者により所定のテスト荷重付与位置Ｐ１にテスト荷重が加えられ、第一乃至第四取得部３０ａ，３０ｂ，３０ｃ，３０ｄで取得したテスト荷重に対応する各入力信号Ｎ１，Ｎ２，Ｎ３，Ｎ４が有るか否かを判定する（Ｓ２２）。ここで否定判定であれば（Ｓ２２：ＮＯ）、判定装置３Ａは、テスト荷重に対応する全ての入力信号Ｎ１，Ｎ２，Ｎ３，Ｎ４が有るまで本処理を繰り返す。
【００６３】
テスト荷重に対応する全ての入力信号Ｎ１，Ｎ２，Ｎ３，Ｎ４が有れば（Ｓ２２：ＹＥＳ）、判定装置３Ａは、各入力信号Ｎ１，Ｎ２，Ｎ３，Ｎ４の荷重の変動が発生したタイミングの順序を確認する（Ｓ２３；変動タイミング確認処理（荷重変動タイミング検出部３５））。次に、判定装置３Ａは、各入力信号Ｎ１，Ｎ２，Ｎ３，Ｎ４の荷重の大きさを確認する（Ｓ２４；荷重確認処理（センサ荷重検出部３７））。
【００６４】
その後、各入力信号Ｎ１，Ｎ２，Ｎ３，Ｎ４の荷重が変動するタイミングと、各入力信号Ｎ１，Ｎ２，Ｎ３，Ｎ４の荷重の大きさと、に基づいて、各入力信号Ｎ１，Ｎ２，Ｎ３，Ｎ４と各荷重センサ２ａ，２ｂ，２ｃ，２ｄからの各出力信号Ｓ１，Ｓ２，Ｓ３，Ｓ４との関連付けを行う（Ｓ２５；信号関連付け処理（関連付け部３６））。
【００６５】
即ち、テスト荷重付与位置Ｐ１とセンサ配置位置５ａ，５ｂ，５ｃ，５ｄとの間の距離が近ければ、テスト荷重は、遠い場合と比較して、センサまでの到達に時間がかからないので、入力信号の荷重が変動するタイミングが早くなる。一方、テスト荷重は、テスト荷重付与位置Ｐ１とセンサ配置位置５ａ，５ｂ，５ｃ，５ｄとの間の距離が遠ければ入力信号の荷重が変動するタイミングが遅くなる。即ち、遠くなるにつれて荷重が変動するタイミングが遅くなる。
更に、テスト荷重付与位置Ｐ１とセンサ配置位置５ａ，５ｂ，５ｃ，５ｄとの間の距離が近ければ、テスト荷重は、遠い場合と比較して、荷重の減衰が少なく済むので、入力信号の荷重が大きくなる。一方、テスト荷重は、テスト荷重付与位置Ｐ１とセンサ配置位置５ａ，５ｂ，５ｃ，５ｄとの間の距離が遠ければ、荷重の減衰が大きくなるので、入力信号の荷重が小さくなる。即ち、遠くなるにつれて荷重が小さくなる。
これらのことから、判定装置３Ａは、入力信号Ｎ１，Ｎ２，Ｎ３，Ｎ４が何れのセンサ配置位置５ａ，５ｂ，５ｃ，５ｄに配置された荷重センサ２ａ，２ｂ，２ｃ，２ｄからの出力信号Ｓ１，Ｓ２，Ｓ３，Ｓ４であるのか判定することができる。
【００６６】
そして、判定装置３Ａは、各入力信号Ｎ１，Ｎ２，Ｎ３，Ｎ４と各出力信号Ｓ１，Ｓ２，Ｓ３，Ｓ４との関連付けした結果、即ち、各入力信号Ｎ１，Ｎ２，Ｎ３，Ｎ４が何れの脚部１２ａ，１２ｂ，１２ｃ，１２ｄの荷重センサ２ａ，２ｂ，２ｃ，２ｄからの出力信号Ｓ１，Ｓ２，Ｓ３，Ｓ４であるかの情報を、生体情報検出装置Ｔによる重心位置の算出や生体情報の検出に用いられる情報として算出部３１に設定せしめる（Ｓ２６；信号設定処理）。その後、判定装置３Ａは、処理を終了する。
【００６７】
本実施形態において、第一実施形態の第一センサ判定例（図４、図６）と同様にベッド１のセンサ判定を行う場合、図４を参照して、テスト荷重付与位置Ｐ１にテスト荷重を加えると、判定装置３Ａは、第一実施形態と同様の順序で、荷重センサ２ｃからの出力信号Ｓ３、荷重センサ２ｄからの出力信号Ｓ４、荷重センサ２ｂからの出力信号Ｓ２、荷重センサ２ａからの出力信号Ｓ１を取得することとなる。
【００６８】
そして、各出力信号Ｓ１，Ｓ２，Ｓ３，Ｓ４の荷重の大きさは、テスト荷重付与位置Ｐ１との距離が最も近いベッド１の頭側の一方の脚部１２ａに対応する荷重センサ２ｃからの出力信号Ｓ３の荷重が最も大きくなる。以下、出力信号Ｓ１，Ｓ２，Ｓ４の荷重は、頭側の他方の脚部１２ｂに対応する荷重センサ２ｄからの出力信号Ｓ４の荷重、ベッド１の足側の一方の脚部１２ｃに対応する荷重センサ２ｂからの出力信号Ｓ２の荷重、最後に足側の他方の脚部１２ｄに対応する荷重センサ２ａからの出力信号Ｓ１の荷重へと順に小さくなる。
【００６９】
そして図６を参照して、実際に、テスト荷重作用時点から時間ＴＭ１経過後の最も早い第一時刻ｔ１に入力信号Ｎ１の荷重の変動があり、その荷重が最も大きい荷重であれば、判定装置３Ａは、入力信号Ｎ１がベッド１の頭側の一方の脚部１２ａに対応する荷重センサ２ｃの出力信号Ｓ３であると関連付ける。
次に、テスト荷重作用時点から時間ＴＭ２経過した２番目の第二時刻ｔ２に入力信号Ｎ２の荷重の変動があり、その荷重が２番目に大きい荷重であれば、判定装置３Ａは、入力信号Ｎ２がベッド１の頭側の他方の脚部１２ｂに対応する荷重センサ２ｄの出力信号Ｓ４であると関連付ける。
次に、テスト荷重作用時点から時間ＴＭ３経過後の３番目の第三時刻ｔ３に入力信号Ｎ３の荷重の変動があり、その荷重が３番目に大きい荷重であれば、判定装置３Ａは、入力信号Ｎ３がベッド１の足側の一方の脚部１２ｃに対応する荷重センサ２ｂの出力信号Ｓ２であると関連付ける。
最後に、テスト荷重作用時点から時間ＴＭ４経過後の第四時刻ｔ４に入力信号Ｎ４の荷重の変動があり、その荷重が最も小さい荷重であれば、判定装置３Ａは、入力信号Ｎ４がベッド１の足側の他方の脚部１２ｄに対応する荷重センサ２ａの出力信号Ｓ１であると関連付ける。
尚、本実施形態において、第一実施形態の第二センサ判定例と同様に正方形の支持面１０２を有するベッド１Ａのセンサ判定を行うことも可能である。
【００７０】
〈第二実施形態の効果〉
本実施形態の判定装置３Ａは、各入力信号Ｎ１，Ｎ２，Ｎ３，Ｎ４に基づいて各荷重センサ２ａ，２ｂ，２ｃ，２ｄに加えられた荷重の大きさを検出するセンサ荷重検出部３７を備え、関連付け部３６は、テスト荷重付与位置Ｐ１，Ｐ２にテスト荷重が作用されたとき、荷重変動タイミング検出部３５によって検出された荷重が変動するタイミング、および、センサ荷重検出部３７により検出された荷重の大きさに基づいて、各入力信号Ｎ１，Ｎ２，Ｎ３，Ｎ４と各荷重センサ２ａ，２ｂ，２ｃ，２ｄからの出力信号Ｓ１，Ｓ２，Ｓ３，Ｓ４とを関連付ける。
【００７１】
本実施形態によれば、第一実施形態と同様に、センサ判定の判定操作が簡便にできる効果を奏する上、次の効果を発揮することができる。即ち、入力信号Ｎ１，Ｎ２，Ｎ３，Ｎ４の荷重が変動するタイミングは、テスト荷重付与位置Ｐ１とセンサ配置位置５ａ，５ｂ，５ｃ，５ｄとの間の距離が遠ければ、入力信号Ｎ１，Ｎ２，Ｎ３，Ｎ４の荷重が変動するタイミングが遅くなる。更に、テスト荷重の検出は、テスト荷重付与位置Ｐ１とセンサ配置位置５ａ，５ｂ，５ｃ，５ｄとの間の距離が遠くなれば小さくなる。
これらのことから、荷重の変動のタイミングの検出と荷重の検出を組み合わせて関連付けを行うことにより、判定装置３Ａは、入力信号Ｎ１，Ｎ２，Ｎ３，Ｎ４と荷重センサ２ａ，２ｂ，２ｃ，２ｄからの出力信号Ｓ１，Ｓ２，Ｓ３，Ｓ４との正確な関連付けを行うことができる。
【００７２】
〈第三実施形態〉
本発明の第三実施形態について説明する。本実施形態は、次のような構成でセンサ判定が行われる。
図１を参照し、ヘッドボード１３を有するベッド１では、重心がヘッドボード１３を有するベッド１の頭側（ベッド１の長さ方向、即ち、前後方向の前側）に偏っている。そこで本実施形態のセンサ判定は、重心が偏ったベッド１の頭側の荷重センサ２ｃ，２ｄからの出力信号Ｓ３，Ｓ４に対応する入力信号Ｎ１，Ｎ２（図１０参照）と、重心が偏った反対側のベッド１の足側の荷重センサ２ａ，２ｂからの出力信号Ｓ１，Ｓ２に対応する入力信号Ｎ３，Ｎ４（図１０参照）と、に入力信号のグループ分けを行う。このようにグループ分けした上で、各入力信号Ｎ１，Ｎ２，Ｎ３，Ｎ４と各出力信号Ｓ１，Ｓ２，Ｓ３，Ｓ４との関連付けを行う構成である。尚、本実施形態の基本構成は第二実施形態のそれと同一であり、相違点を中心に説明し、図における同一部材は同一符号で示し、それらの説明を省略する。
【００７３】
図１を参照し、ヘッドボード１３を有するベッド１の頭側は、第一のセンサ配置位置５ａ，５ｂを備える。第一のセンサ配置位置５ａ，５ｂは、複数のセンサ配置位置５ａ，５ｂ，５ｃ，５ｄのうち少なくともベッド１の重心の偏った側の部位に設けられた位置である。第一のセンサ配置位置５ａ，５ｂには、複数の荷重センサ２ａ，２ｂ，２ｃ，２ｄのうち第一の荷重センサ２ｃ，２ｄが配置されている。第一の荷重センサ２ｃ，２ｄは、第一のセンサ配置位置５ａ，５ｂに配置されたセンサである。
例えば、第一のセンサ配置位置５ａは、ベッド１の頭側の一方の脚部１２ａの下端に設けられている。第一のセンサ配置位置５ａには、第一の荷重センサ２ｃが配置されている。
また、第一のセンサ配置位置５ｂは、ベッド１の頭側の他方の脚部１２ｂの下端に設けられている。第一のセンサ配置位置５ｂには、第一の荷重センサ２ｄが配置されている。
【００７４】
一方、ベッド１の足側は、第二のセンサ配置位置５ｃ，５ｄを備える。第二のセンサ配置位置５ｃ，５ｄは、複数のセンサ配置位置５ａ，５ｂ，５ｃ，５ｄのうち少なくともベッド１の重心の偏った側と反対側の部位に設けられた位置である。第二のセンサ配置位置５ｃ，５ｄには、複数の荷重センサ２ａ，２ｂ，２ｃ，２ｄのうち第二の荷重センサ２ａ，２ｂが配置されている。第二の荷重センサ２ａ，２ｂは、第二のセンサ配置位置５ｃ，５ｄに配置されたセンサである。
例えば、第二のセンサ配置位置５ｃは、ベッド１の足側の一方の脚部１２ｃの下端に設けられている。第二のセンサ配置位置５ｃには、第二の荷重センサ２ｂが配置されている。
また、第二のセンサ配置位置５ｄは、ベッド１の足側の他方の脚部１２ｄの下端に設けられている。第二のセンサ配置位置５ｄには、第二の荷重センサ２ａが配置されている。
【００７５】
図１０に示すように、本実施形態の判定装置３Ｂは、入力信号グループ分け実行部３８を備えている。入力信号グループ分け実行部３８は、第一乃至第四取得部３０ａ，３０ｂ，３０ｃ，３０ｄにより取得した各入力信号Ｎ１，Ｎ２，Ｎ３，Ｎ４を第一のグループと、第二のグループとにグループ分けするものである。入力信号グループ分け実行部３８は、各入力信号Ｎ１，Ｎ２，Ｎ３，Ｎ４のうちの第一の入力信号Ｎ１，Ｎ２を、第一のグループとする。第一の入力信号Ｎ１，Ｎ２は、第一の荷重センサ２ｃ，２ｄからの出力信号Ｓ３，Ｓ４に対応する入力信号である。第一のグループは、ベッド１の重心の偏った側の部位の入力信号のグループである。
入力信号グループ分け実行部３８は、各入力信号Ｎ１，Ｎ２，Ｎ３，Ｎ４のうちの第二の入力信号Ｎ３，Ｎ４を、第二のグループとする。第二の入力信号Ｎ３，Ｎ４は、第二の荷重センサ２ａ，２ｂからの出力信号Ｓ１，Ｓ２に対応する入力信号である。第二のグループは、ベッド１の重心の偏った反対側の部位の入力信号のグループである。
【００７６】
例えば、入力信号グループ分け実行部３８は、各入力信号Ｎ１，Ｎ２，Ｎ３，Ｎ４の荷重の大きさに応じ、荷重の大きな入力信号Ｎ１，Ｎ２を第一のグループとする。一方、入力信号Ｎ１，Ｎ２に比べて荷重の小さい入力信号Ｎ３，Ｎ４を第二のグループとする。
【００７７】
そして関連付け部３６は、荷重変動タイミング検出部３５による各入力信号Ｎ１，Ｎ２，Ｎ３，Ｎ４の変動タイミングと、センサ荷重検出部３７による各入力信号Ｎ１，Ｎ２，Ｎ３，Ｎ４の荷重の大きさと、入力信号グループ分け実行部３８による各入力信号Ｎ１，Ｎ２，Ｎ３，Ｎ４のグループ分けと、に基づいて、各入力信号Ｎ１，Ｎ２，Ｎ３，Ｎ４と各出力信号Ｓ１，Ｓ２，Ｓ３，Ｓ４との関連付けを行う。
【００７８】
本実施形態におけるセンサ判定の作業手順は、第二実施形態と同様に、作業者がセンサ判定を実行するように入力装置４を操作することで開始される。その後、作業者は、ベッド１の支持面の所定のテスト荷重付与位置Ｐ１（図４参照）にテスト荷重を加える。これによりセンサ判定が実行される。
【００７９】
センサ判定は、図１１に示す第三センサ判定処理により制御される。第三センサ判定処理では、先ず、判定装置３Ｂは、入力装置４から判定開始操作信号を受信したか否かを判定する（Ｓ３０）。否定判定であれば（Ｓ３０：ＮＯ）、判定装置３Ｂは、処理を終了する。肯定判定（Ｓ３０：ＹＥＳ）であれば、判定装置３Ｂは、各荷重センサ２ａ，２ｂ，２ｃ，２ｄからの出力信号Ｓ１，Ｓ２，Ｓ３，Ｓ４に対応する現在の各入力信号Ｎ１，Ｎ２，Ｎ３，Ｎ４の荷重の大きさを確認する（Ｓ３１；初期荷重確認処理（センサ荷重検出部３７））。この場合、荷重の大きさの確認は、判定装置３Ｂの電源を投入後の所定時間が経過した後で、各入力信号Ｎ１，Ｎ２，Ｎ３，Ｎ４が安定した状態で行う。
【００８０】
続いて、判定装置３Ｂは、現在の各入力信号Ｎ１，Ｎ２，Ｎ３，Ｎ４の荷重の大きさに応じて、ベッド１の重心の偏った側の荷重が大きい入力信号Ｎ１，Ｎ２を第一のグループとする。また、判定装置３Ｂは、ベッド１の重心の偏った反対側の部位の荷重が小さい入力信号Ｎ３，Ｎ４を第二のグループとするグループ分けを行う（Ｓ３２；入力信号グループ分け処理（入力信号グループ分け実行部３８））。
【００８１】
次に、判定装置３Ｂは、各入力信号Ｎ１，Ｎ２，Ｎ３，Ｎ４の荷重をそれぞれオフセットする処理を行う（Ｓ３３；入力信号オフセット処理）。これにより、各入力信号Ｎ１，Ｎ２，Ｎ３，Ｎ４の荷重を見かけ上「ゼロ」に設定する。
【００８２】
その後、判定装置３Ｂは、作業者により所定のテスト荷重付与位置Ｐ１にテスト荷重が加えられ、第一乃至第四取得部３０ａ，３０ｂ，３０ｃ，３０ｄで取得した各入力信号Ｎ１，Ｎ２，Ｎ３，Ｎ４が有るか否かを判定する（Ｓ３４）。ここで否定判定であれば（Ｓ３４：ＮＯ）、判定装置３Ｂは、テスト荷重に対応する全ての入力信号Ｎ１，Ｎ２，Ｎ３，Ｎ４が有るまで本処理を繰り返す。
【００８３】
テスト荷重に対応する全ての入力信号Ｎ１，Ｎ２，Ｎ３，Ｎ４が有れば（Ｓ３４：ＹＥＳ）、判定装置３Ｂは、各入力信号Ｎ１，Ｎ２，Ｎ３，Ｎ４の荷重の変動のタイミングの順序を確認する（Ｓ３５；変動タイミング確認処理（荷重変動タイミング検出部３５））。次に、各入力信号Ｎ１，Ｎ２，Ｎ３，Ｎ４の荷重の大きさを確認する（Ｓ３６；荷重確認処理（センサ荷重検出部３７））。その後、ベッド１の重心の偏った側の部位の入力信号Ｎ１，Ｎ２およびベッド１の重心の偏った反対側の部位の入力信号Ｎ３，Ｎ４に関する第一のグループと第二のグループとのグループ分けと、各入力信号Ｎ１，Ｎ２，Ｎ３，Ｎ４の荷重が変動するタイミングと、各入力信号Ｎ１，Ｎ２，Ｎ３，Ｎ４の荷重の大きさと、に基づいて、各入力信号Ｎ１，Ｎ２，Ｎ３，Ｎ４と各荷重センサ２ａ，２ｂ，２ｃ，２ｄからの各出力信号Ｓ１，Ｓ２，Ｓ３，Ｓ４との関連付けを行う（Ｓ３７；信号関連付け処理（関連付け部３６））。
【００８４】
そして、判定装置３Ｂは、各入力信号Ｎ１，Ｎ２，Ｎ３，Ｎ４と各出力信号Ｓ１，Ｓ２，Ｓ３，Ｓ４との関連付けした結果を、算出部３１に設定せしめる（Ｓ３８；信号設定処理）。その後、判定装置３Ｂは、処理を終了する。
【００８５】
次に、判定装置３Ｂが、図４に示すベッド１のセンサ判定を行う判定例について説明する。ベッド１は、その重心がヘッドボード１３を有する頭側に偏っている。
先ず、判定装置３Ｂは、電源投入から所定の時間経過した後、各入力信号Ｎ１，Ｎ２，Ｎ３，Ｎ４が安定した状態で、各入力信号Ｎ１，Ｎ２，Ｎ３，Ｎ４の荷重の大きさを検出する。この場合、ベッド１の頭側に配置された荷重センサ２ｃ，２ｄに対応する入力信号Ｎ１，Ｎ２（図１０参照）の荷重が、ベッド１の足側に配置された荷重センサ２ａ，２ｂに対応する入力信号Ｎ３，Ｎ４（図１０参照）の荷重よりも大きい。
【００８６】
従って、判定装置３Ｂは、入力信号Ｎ１，Ｎ２が荷重センサ２ｃ，２ｄの何れかに対応する入力であると認識する。これにより、入力信号Ｎ１，Ｎ２は第一のグループとされる。一方、入力信号Ｎ３，Ｎ４は第二のグループとされる。
【００８７】
そして、テスト荷重付与位置Ｐ１にテスト荷重が加えられると、判定装置３は、テスト荷重付与位置Ｐ１との距離が最も近いベッド１の頭側の一方の脚部１２ａに配置された荷重センサ２ｃからの出力信号Ｓ３を最初に取得することとなる。
そして、実際の荷重の変動タイミングの検出において、判定装置３Ｂは、最初に、入力信号Ｎ１の荷重の変動タイミングを検出すると、入力信号Ｎ１がベッド１の頭側の一方の脚部１２ａに対応する荷重センサ２ｃからの出力信号Ｓ３であると関連付ける。
【００８８】
また、判定装置３Ｂは、入力信号Ｎ１がベッド１の頭側の一方の荷重センサ２ｃからの出力信号Ｓ３であると関連付けたことにより、同じ第一のグループの残りの入力信号Ｎ２が、ベッド１の頭側の他方の脚部１２ｂに対応する荷重センサ２ｄからの出力信号Ｓ４であると関連付けることができる。
【００８９】
更に、判定装置３Ｂは、テスト荷重によって、テスト荷重付与位置Ｐ１との距離が最も遠いベッド１の足側の他方の脚部１２ｄに配置された荷重センサ２ａからの出力信号Ｓ１を最後に取得することとなる。
そして、実際の荷重の変動タイミングの検出において、判定装置３Ｂは、最後に、入力信号Ｎ４の荷重の変動タイミングを検出すると、入力信号Ｎ４がベッド１の足側の他方の脚部１２ｄに対応する荷重センサ２ａからの出力信号Ｓ１であると関連付ける。
【００９０】
その後、判定装置３Ｂは、入力信号Ｎ４がベッド１の足側の他方の荷重センサ２ａからの出力信号Ｓ１であると関連付けたことにより、同じ第二のグループの残りの入力信号Ｎ３が、ベッド１の足側の一方の脚部１２ｃに対応する荷重センサ２ｂからの出力信号Ｓ２であると関連付けることができる。
【００９１】
このように判定を行う、判定装置３Ｂは、ヘッドボード１３と正方形の支持面１０２（図７参照）を有するベッド１Ａのセンサ判定にも有効である。
【００９２】
更に、判定装置３Ｂは、ヘッドボード１３（図１参照）により重心がベッドの前後方向の前方に偏ったベッドのセンサ判定に限らず、例えば、ベッドの幅方向の片側で、ベッド下側に収納部などを備え、ベッドの重心がベッド幅方向の片側に偏ったベッドのセンサ判定を行うことができる。
【００９３】
〈第三実施形態の効果〉
本実施形態において、ベッド１，１Ａは、ベッド１，１Ａの長さ方向又は幅方向に重心が偏った構成である。ベッド１，１Ａの重心の偏った側の部位は、複数のセンサ配置位置５ａ，５ｂ，５ｃ，５ｄのうち少なくとも第一のセンサ配置位置５ａ，５ｂを備え、第一のセンサ配置位置５ａ，５ｂには複数の荷重センサ２ａ，２ｂ，２ｃ，２ｄのうち第一の荷重センサ２ｃ，２ｄが配置されている。ベッド１，１Ａの重心の偏った側と反対側の部位は、複数のセンサ配置位置５ａ，５ｂ，５ｃ，５ｄのうち少なくとも第二のセンサ配置位置５ｃ，５ｄを備え、第二のセンサ配置位置５ｃ，５ｄには複数の荷重センサ２ａ，２ｂ，２ｃ，２ｄのうち第二の荷重センサ２ａ，２ｂが配置されている。そして、本実施形態の判定装置３Ｂは、各入力信号Ｎ１，Ｎ２，Ｎ３，Ｎ４のうちの第一の荷重センサ２ｃ，２ｄからの出力信号Ｓ３，Ｓ４に対応する入力信号である第一の入力信号Ｎ１，Ｎ２をベッド１，１Ａの重心の偏った側の部位の入力信号のグループである第一のグループと、各入力信号Ｎ１，Ｎ２，Ｎ３，Ｎ４のうちの第二の荷重センサ２ａ，２ｂからの出力信号Ｓ１，Ｓ２に対応する入力信号である第二の入力信号Ｎ３，Ｎ４をベッド１，１Ａの重心の偏った側と反対側の部位の入力信号のグループである第二のグループと、にグループ分けを実行する入力信号グループ分け実行部３８を備えている。
【００９４】
これによれば、判定装置３Ｂは、入力信号グループ分け実行部３８により複数の入力信号Ｎ１，Ｎ２，Ｎ３，Ｎ４のうちのベッド１，１Ａの重心の偏った側の入力信号Ｎ１，Ｎ２，と、ベッド１，１Ａの重心の偏った側と反対側の入力信号Ｎ３，Ｎ４とをグループ分けする。そして判定装置３Ｂは、入力信号Ｎ１，Ｎ２，Ｎ３，Ｎ４のグループ分けと、各入力信号Ｎ１，Ｎ２，Ｎ３，Ｎ４の荷重の変動のタイミングと、各入力信号Ｎ１，Ｎ２，Ｎ３，Ｎ４の荷重の大きさ、とで入力信号Ｎ１，Ｎ２，Ｎ３，Ｎ４と出力信号Ｓ１，Ｓ２，Ｓ３，Ｓ４とを関連付ける。従って、テスト荷重付与位置Ｐ１，Ｐ２と複数の各センサ配置位置５ａ，５ｂ，５ｃ，５ｄとの距離が相違していなくても、入力信号Ｎ１，Ｎ２，Ｎ３，Ｎ４と出力信号Ｓ１，Ｓ２，Ｓ３，Ｓ４とを関連付けを正確に行うことができる。特に、正方形の支持面１０２を有するベッド１Ａにおいて、テスト荷重付与位置Ｐ２を支持面１０２の何れかの角部Ｋ１，Ｋ２，Ｋ３，Ｋ４に設定した場合でも信号の関連付けを確実に行うことができる。
【００９５】
〈第四実施形態〉
次に、本発明の第四実施形態について説明する。本実施形態の基本構成は第一実施形態のそれと同一であり、第一実施形態との相違点を中心に説明し、図における同一部材は同一符号で示し、それらの説明を省略する。
【００９６】
第四実施形態の判定装置３Ｃは、図１３に示すように、上述した第一実施形態の判定装置３に対して、荷重正負導出部３９、変更可能性検出部４０および通知部４１をさらに備えている。
【００９７】
荷重正負導出部３９は、複数の入力信号Ｎ１，Ｎ２，Ｎ３，Ｎ４から、複数の荷重センサ２ａ，２ｂ，２ｃ，２ｄによって検出された複数の荷重である複数の検出荷重の各々についての正負を導出するものである。荷重正負導出部３９は、各取得部３０ａ，３０ｂ，３０ｃ，３０ｄから出力された複数の入力信号Ｎ１，Ｎ２，Ｎ３，Ｎ４を取得する。
【００９８】
複数の検出荷重は、各入力信号Ｎ１，Ｎ２，Ｎ３，Ｎ４に応じて算出される。各入力信号Ｎ１，Ｎ２，Ｎ３，Ｎ４がそれぞれ大きくなるにしたがって、複数の検出荷重がそれぞれ大きくなる。また、各入力信号Ｎ１，Ｎ２，Ｎ３，Ｎ４がそれぞれゼロである場合、複数の検出荷重がそれぞれゼロである。よって、検出荷重がゼロより大きい場合、検出荷重が正の荷重であると導出される。一方、検出荷重がゼロより小さい場合、すなわち、検出荷重がマイナスである場合、検出荷重が負の荷重であると導出される。荷重正負導出部３９の導出結果は、変更可能性検出部４０に出力される。
【００９９】
変更可能性検出部４０は、複数の検出荷重のうち負の荷重が二つ以上あると荷重正負導出部３９によって導出された場合、複数の荷重センサ２ａ，２ｂ，２ｃ，２ｄの配置を変更された可能性である変更可能性を検出するものである。脚部１２ａ，１２ｂ，１２ｃ，１２ｄに荷重センサ２ａ，２ｂ，２ｃ，２ｄが配置され、かつ、支持面１０１に人が乗っていない場合に、各入力信号Ｎ１，Ｎ２，Ｎ３，Ｎ４がゼロとなるように処理（上述した入力信号オフセット処理）されている。よって、複数の検出荷重のうち二つ以上が負の荷重である場合、例えば部屋の模様替え等によってベッド１が持ち上げられて、脚部１２ａ，１２ｂ，１２ｃ，１２ｄと荷重センサ２ａ，２ｂ，２ｃ，２ｄとが離れた可能性が考えられる。
【０１００】
ベッド１が持ち上げられた後にベッド１が再度設置された場合、センサ配置位置５ａ，５ｂ，５ｃ，５ｄに荷重センサ２ａ，２ｂ，２ｃ，２ｄがそれぞれ再度配置されるため、ベッド１が持ち上げられる前の複数の荷重センサ２ａ，２ｂ，２ｃ，２ｄの配置とベッド１が持ち上げられた後の複数の荷重センサ２ａ，２ｂ，２ｃ，２ｄの配置とが異なっていることが考えられる。すなわち、複数の荷重センサ２ａ，２ｂ，２ｃ，２ｄの配置を変更された可能性である変更可能性があると考えられる。変更可能性検出部４０の検出結果は、通知部４１に出力される。
【０１０１】
通知部４１は、関連付け部３６によって各入力信号Ｎ１，Ｎ２，Ｎ３，Ｎ４と各出力信号Ｓ１，Ｓ２，Ｓ３，Ｓ４とが関連付けされた状態において変更可能性検出部４０によって変更可能性が検出された場合、テスト荷重をテスト荷重付与位置Ｐ１に加える旨を作業者に通知するものである。
【０１０２】
複数の荷重センサ２ａ，２ｂ，２ｃ，２ｄの配置が変更された場合、各入力信号Ｎ１，Ｎ２，Ｎ３，Ｎ４と各荷重センサ２ａ，２ｂ，２ｃ，２ｄの各出力信号Ｓ１，Ｓ２，Ｓ３，Ｓ４との関連付けが変更されているため、生体情報検出装置Ｔによる重心位置の算出や生体情報の検出が精度よく行われない。すなわち、この場合、各脚部１２ａ，１２ｂ，１２ｃ，１２ｄに対応する各荷重センサ２ａ，２ｂ，２ｃ，２ｄの各出力信号Ｓ１，Ｓ２，Ｓ３，Ｓ４と各入力信号Ｎ１，Ｎ２，Ｎ３，Ｎ４との関連付けを再度行う必要がある。
【０１０３】
よって、変更可能性が検出された場合、上述したセンサ判定が実行されるように、通知部４１は、テスト荷重をテスト荷重付与位置Ｐ１に加える旨を作業者に通知する。具体的には、センサ判定を作業者に実行させる旨を入力装置４に表示させる信号が、通知部４１から通信装置３４に出力される。
【０１０４】
次に、判定装置３Ｃによって実行される変更可能性検出制御について、図１４のフローチャートを用いて説明する。変更可能性検出制御は、上述したセンサ判定の制御が実行された後に、変更可能性の有無を検出し、変更可能性が検出された場合にセンサ判定を作業者に改めて実行させる制御である。
【０１０５】
判定装置３Ｃは、先ず、複数の検出荷重の各々について正負を導出する（Ｓ４０；検出荷重正負導出処理（荷重正負導出部３９））。続けて、判定装置３Ｃは、複数の検出荷重のうち負の荷重が二つ以上あるか否かを判定する（Ｓ４１；変更可能性検出部４０）。
【０１０６】
ベッド１が持ち上げられていない場合、複数の検出荷重の各々がゼロ以上であるため、複数の検出荷重の各々は、ゼロまたは正の荷重であると導出される。この場合、否定判定であるため（Ｓ４１：ＮＯ）、判定装置３Ｃは、検出荷重正負導出処理（Ｓ４０）を繰り返し実行する。
【０１０７】
一方、ベッド１が持ち上げられた場合、上述したように、複数の検出荷重のうち負の荷重が二つ以上あると導出される。この場合、肯定判定であるため（Ｓ４１：ＹＥＳ）、判定装置３Ｃは、変更可能性を検出する（Ｓ４２；変更可能性検出部４０）。
【０１０８】
さらに、判定装置３Ｃは、テスト荷重をテスト荷重付与位置Ｐ１に加える旨を作業者に通知する（Ｓ４３；通知処理（通知部４１））。これにより、センサ判定を作業者に実行させる旨が入力装置４に表示される。この表示に従って、作業者がセンサ判定を改めて実行した場合、各入力信号Ｎ１，Ｎ２，Ｎ３，Ｎ４と各荷重センサ２ａ，２ｂ，２ｃ，２ｄからの各出力信号Ｓ１，Ｓ２，Ｓ３，Ｓ４との関連付けが行われる。
【０１０９】
〈第四実施形態の効果〉
本実施形態の判定装置３Ｃは、複数の入力信号Ｎ１，Ｎ２，Ｎ３，Ｎ４から、複数の荷重センサ２ａ，２ｂ，２ｃ，２ｄによって検出された複数の荷重である複数の検出荷重の各々についての正負を導出する荷重正負導出部３９と、複数の検出荷重のうち負の荷重が二つ以上あると荷重正負導出部３９によって導出された場合、複数の荷重センサ２ａ，２ｂ，２ｃ，２ｄの配置を変更された可能性である変更可能性を検出する変更可能性検出部４０と、関連付け部３６によって各入力信号Ｎ１，Ｎ２，Ｎ３，Ｎ４と各出力信号Ｓ１，Ｓ２，Ｓ３，Ｓ４とが関連付けされた状態において変更可能性検出部４０によって変更可能性が検出された場合、テスト荷重をテスト荷重付与位置Ｐ１に加えるように作業者に通知する通知部４１と、をさらに備えている。
【０１１０】
これによれば、例えばベッド１が持ち上げられたことにより、複数の荷重センサ２ａ，２ｂ，２ｃ，２ｄの配置を変更された可能性がある場合、作業者に対してセンサ判定を改めて実行するように通知される。作業者によってセンサ判定が実行されることにより、各脚部１２ａ，１２ｂ，１２ｃ，１２ｄに対応する各荷重センサ２ａ，２ｂ，２ｃ，２ｄの各出力信号Ｓ１，Ｓ２，Ｓ３，Ｓ４と各入力信号Ｎ１，Ｎ２，Ｎ３，Ｎ４との関連付けが再度行われる。よって、生体情報検出装置Ｔは、重心位置の算出や生体情報の検出を継続して精度よく行うことができる。
【０１１１】
〈第五実施形態〉
次に、本発明の第五実施形態について説明する。本実施形態の基本構成は第四実施形態のそれと同一であり、第四実施形態との相違点を中心に説明し、図における同一部材は同一符号で示し、それらの説明を省略する。
【０１１２】
第五実施形態の判定装置３Ｄは、図１５に示すように、上述した第四実施形態の判定装置３Ｃに対して、荷重分布導出部４２、記憶部４３、比較値導出部４４および比較値判定部４５をさらに備えている。また、第五実施形態の判定装置３Ｄは、上述した第四実施形態の判定装置３Ｃに対して、通知部４１を備えない。
【０１１３】
荷重分布導出部４２は、使用者が離床した場合、使用者が離床した時点の直前の支持面１０１の荷重分布である離床前荷重分布を、複数の入力信号Ｎ１，Ｎ２，Ｎ３，Ｎ４から導出するものである。荷重分布導出部４２は、複数の入力信号Ｎ１，Ｎ２，Ｎ３，Ｎ４から複数の検出荷重ひいては支持面１０１の荷重分布を導出する。荷重分布は、例えば支持面１０１上における荷重の重心位置、重心位置における荷重の大きさ、および、荷重が作用している支持面１０１上の範囲を示す。
【０１１４】
離床前荷重分布は、具体的には、使用者が離床した時点から所定時間（例えば１秒）前の時点の荷重分布である。使用者が離床した時点は、荷重分布の重心位置における荷重の大きさが正の荷重からゼロとなった時点に相当する。荷重分布導出部４２は、使用者が離床した時点を検出した時、離床前荷重分布を記憶部４３に出力する。
【０１１５】
記憶部４３は、荷重分布導出部４２によって導出された離床前荷重分布を時系列に記憶するものである（詳細は後述する）。
【０１１６】
比較値導出部４４は、変更可能性検出部４０によって変更可能性が検出された後に記憶部４３に離床前荷重分布が記憶された場合、記憶部４３に記憶された離床前荷重分布のうち、変更可能性検出部４０によって変更可能性が検出された時点である第一時点より前の離床前荷重分布に対して、第一時点より後の離床前荷重分布を比較した値である比較値を導出するものである。
【０１１７】
変更可能性の検出結果は、本第五実施形態においては、変更可能性検出部４０から記憶部４３を介して比較値導出部４４に入力される（詳細は後述する）。また、第一時点より前の離床前荷重分布および第一時点より後の離床前荷重分布は、記憶部４３から比較値導出部４４に出力される。本実施形態において、第一時点より前の離床前荷重分布は、記憶部４３に時系列に記憶された離床前荷重分布のうち第一時点より直前の離床前荷重分布である。また、第一時点より後の離床前荷重分布は、記憶部４３に時系列に記憶された離床前荷重分布のうち第一時点より直後の離床前荷重分布である。
【０１１８】
比較値は、第一時点より前の離床前荷重分布に対する、第一時点より後の離床前荷重分布における、例えば、各離床前荷重分布の重心位置の間の距離、各離床前荷重分布の重心位置の荷重の大きさの変化率、もしくは、各離床前荷重分布の面積の変化率、または、これらを組み合わせたものである。比較値導出部４４によって導出された比較値は、比較値判定部４５に出力される。
【０１１９】
比較値判定部４５は、比較値導出部４４によって導出された比較値が所定値以上であるか否かを判定するものである。比較値が各離床前荷重分布の重心位置の間の距離である場合、所定値は所定距離である。また、比較値が各離床前荷重分布の重心位置の荷重の大きさの変化率である場合、所定値は、第一所定変化率である。さらに、比較値が各離床前荷重分布の面積の変化率である場合、所定値は、第二所定変化率である。所定値は、予め実験等により実測されて導出されている。比較値判定部４５の判定結果は、関連付け部３６に出力される。
【０１２０】
また、本実施形態における関連付け部３６は、各入力信号Ｎ１，Ｎ２，Ｎ３，Ｎ４と各出力信号Ｓ１，Ｓ２，Ｓ３，Ｓ４とが関連付けされた状態において、比較値判定部４５によって比較値が所定値以上であると判定された場合、第一時点より後の離床前荷重分布に対して各入力信号Ｎ１，Ｎ２，Ｎ３，Ｎ４と各出力信号Ｓ１，Ｓ２，Ｓ３，Ｓ４との関連を変更することにより得られる荷重分布が、第一時点より前の離床前荷重分布に近付くように、各入力信号Ｎ１，Ｎ２，Ｎ３，Ｎ４と各出力信号Ｓ１，Ｓ２，Ｓ３，Ｓ４とを再度関連付けする。具体的には、比較値が、各離床前荷重分布の重心位置の間の距離である場合、関連付け部３６は、第一時点より前の離床前荷重分布の重心位置から、第一時点より後の離床前荷重分布の重心位置までの距離を小さく（例えば最小に）して所定値より小さくするように、各入力信号Ｎ１，Ｎ２，Ｎ３，Ｎ４と各出力信号Ｓ１，Ｓ２，Ｓ３，Ｓ４とを再度関連付けする。
【０１２１】
次に、判定装置３Ｄによって実行される再関連付け制御について、図１６のフローチャートを用いて説明する。再関連付け制御は、各入力信号Ｎ１，Ｎ２，Ｎ３，Ｎ４と各出力信号Ｓ１，Ｓ２，Ｓ３，Ｓ４とが関連付けられている状態において変更可能性が検出された場合、各入力信号Ｎ１，Ｎ２，Ｎ３，Ｎ４と各出力信号Ｓ１，Ｓ２，Ｓ３，Ｓ４とを再度関連付けする制御である。上述したセンサ判定が実行された後に、再関連付け制御が実行される。
【０１２２】
判定装置３Ｄは、先ず、Ｓ５０，Ｓ５１，Ｓ５２の処理を順に実行する。Ｓ５０，Ｓ５１，Ｓ５２の処理は、図１４に示す上述した第四実施形態の変更可能性検出制御におけるＳ４０，Ｓ４１，Ｓ４２の処理とそれぞれ同じ処理である。そして、判定装置３Ｄは、変更可能性を検出した場合、変更可能性がある旨を記憶する（Ｓ５３；第一記憶処理（記憶部４３））。なお、判定装置３Ｄによって変更可能性が検出された時点（Ｓ５２）が、上述した第一時点に相当する。
【０１２３】
また、判定装置３Ｄは、Ｓ５０〜Ｓ５３の処理と、Ｓ５４〜Ｓ５８の処理とを並行に実行する。判定装置３Ｄは、支持面１０１の荷重分布を導出する（Ｓ５４；荷重分布導出処理（荷重分布導出部４２））。続けて、判定装置３Ｄは、使用者が離床したか否かを確認する（Ｓ５５；荷重分布導出部４２）。使用者が離床していない場合、重心位置における荷重の大きさが正の荷重のままであることにより、否定判定となるため（Ｓ５５：ＮＯ）、荷重分布導出処理（Ｓ５４）と本処理（Ｓ５５）とを繰り返し実行する。
【０１２４】
一方、使用者が離床した場合、重心位置における荷重の大きさが正の荷重からゼロとなることにより、肯定判定となるため（Ｓ５５：ＹＥＳ）、使用者が離床した時点の直前の支持面１０１の荷重分布を離床前荷重分布として記憶する（Ｓ５６；第二記憶処理（記憶部４３））。
【０１２５】
さらに、判定装置３Ｄは、変更可能性についての情報を取得する（Ｓ５７；取得処理）。この時点において、変更可能性がある旨が記憶部４３に記憶されている場合、変更可能性がある旨の情報が取得される。一方、この時点において、変更可能性がある旨が記憶部４３に記憶されていない場合、変更可能性がある旨の情報が取得されない。
【０１２６】
続けて、判定装置３Ｄは、変更可能性が検出されたか否かを判定する（Ｓ５８）。変更可能性がある旨の情報が取得されない場合、否定判定であるため（Ｓ５８：ＮＯ）、判定装置３Ｄは、プログラムをＳ５４に戻す。このように、変更可能性が検出されない場合、判定装置３ＤによってＳ５４からＳ５８までが繰り返し実行されることにより、離床前荷重分布が時系列に記憶される。
【０１２７】
一方、変更可能性がある旨の情報が取得された場合、肯定判定であるため（Ｓ５８：ＹＥＳ）、判定装置３Ｄは、プログラムをＳ５９に進める。なお、この時点において、最後に記憶された離床前荷重分布は、第一時点より後に記憶されたものとなる（詳細は後述する）。
【０１２８】
判定装置３Ｄは、比較値を導出する（Ｓ５９；比較値導出処理（比較値導出部４４））。判定装置３Ｄは、記憶部４３に時系列に記憶された複数の離床前荷重分布のうち、第一時点より直前の離床前荷重分布と第一時点より直後の離床前荷重分布とから、比較値を導出する。
【０１２９】
続けて、判定装置３Ｄは、比較値が所定値以上であるか否かを判定する（Ｓ６０；比較値判定部４５）。第一時点の前後において複数の荷重センサ２ａ，２ｂ，２ｃ，２ｄの配置が異なっていない場合、比較値が所定値より小さい（詳細は後述する）。この場合、否定判定であるため（Ｓ６０：ＮＯ）、判定装置３ＤはプログラムをＳ５０，Ｓ５４に戻す。
【０１３０】
一方、第一時点の前後において複数の荷重センサ２ａ，２ｂ，２ｃ，２ｄの配置が異なっている場合、比較値が所定値以上となる（詳細は後述する）。この場合、肯定判定であるため（Ｓ６０：ＹＥＳ）、判定装置３Ｄは、各入力信号Ｎ１，Ｎ２，Ｎ３，Ｎ４と各荷重センサ２ａ，２ｂ，２ｃ，２ｄからの各出力信号Ｓ１，Ｓ２，Ｓ３，Ｓ４との関連付けを再度行う（Ｓ６１；再度信号関連付け処理（関連付け部３６））。このとき、判定装置３Ｄは、比較値を小さくするように、各入力信号Ｎ１，Ｎ２，Ｎ３，Ｎ４と各出力信号Ｓ１，Ｓ２，Ｓ３，Ｓ４とを再度関連付けする。
【０１３１】
次に、上述した再関連付け制御が実行された場合における判定装置３Ｄの動作について説明する。なお、この場合において、比較値は、各離床前荷重分布の重心位置の間の距離とする。
【０１３２】
センサ判定が実行された後にベッド１が持ち上げられていない場合、在床状態の使用者が離床する毎に離床前荷重分布が記憶される（Ｓ５０，Ｓ５１，Ｓ５４〜Ｓ５８）。そして、部屋の模様替え等によってベッド１が持ち上げられたとき、変更可能性が検出されて（Ｓ５２：第一時点）、変更可能性がある旨が記憶される（Ｓ５３）。この時に最後に記憶されている離床前荷重分布が、第一時点より直前の離床前荷重分布に相当する。
【０１３３】
さらに、第一時点の後に在床状態の使用者が離床した場合（Ｓ５５）、離床前荷重分布が記憶されて（Ｓ５６）、変更可能性がある旨が取得される（Ｓ５７）。この第一時点の後に使用者が離床したときに記憶された離床前荷重分布が、第一時点より直後の離床前荷重分布に相当する。
【０１３４】
使用者がベッド１から離床する位置は、部屋に対するベッド１の配置や使用者の習慣からおよそ同じであるため、第一時点の前後において複数の荷重センサ２ａ，２ｂ，２ｃ，２ｄの配置が同じである場合、各離床前荷重分布の重心位置がおよそ同じである。この場合、比較値が所定値より小さいため（Ｓ６０）、各入力信号Ｎ１，Ｎ２，Ｎ３，Ｎ４と各出力信号Ｓ１，Ｓ２，Ｓ３，Ｓ４との関連付けが行われない。
【０１３５】
一方、使用者がベッド１から離床する位置がおよそ同じであるため、第一時点の前後において複数の荷重センサ２ａ，２ｂ，２ｃ，２ｄの配置が異なっている場合、各離床前荷重分布の重心位置の間の距離が比較的大きくなる。この場合、比較値が所定値以上となるため（Ｓ６０）、各入力信号Ｎ１，Ｎ２，Ｎ３，Ｎ４と各出力信号Ｓ１，Ｓ２，Ｓ３，Ｓ４とが再度関連付けされる（Ｓ６１）。このとき、第一時点より直後の離床前荷重分布に対して各入力信号Ｎ１，Ｎ２，Ｎ３，Ｎ４と各出力信号Ｓ１，Ｓ２，Ｓ３，Ｓ４との関連を変更することにより得られる荷重分布における荷重の重心位置が、第一時点より直前の離床前荷重分布における荷重の重心位置に最も近付くように、各入力信号Ｎ１，Ｎ２，Ｎ３，Ｎ４と各出力信号Ｓ１，Ｓ２，Ｓ３，Ｓ４とが再度関連付けられる。
【０１３６】
〈第五実施形態の効果〉
本実施形態の判定装置３Ｄは、複数の入力信号Ｎ１，Ｎ２，Ｎ３，Ｎ４から、複数の荷重センサ２ａ，２ｂ，２ｃ，２ｄによって検出された複数の荷重である複数の検出荷重の各々についての正負を導出する荷重正負導出部３９と、複数の検出荷重のうち負の荷重が二つ以上あると荷重正負導出部３９によって導出された場合、複数の荷重センサ２ａ，２ｂ，２ｃ，２ｄの配置を変更された可能性である変更可能性を検出する変更可能性検出部４０と、使用者が離床した場合、使用者が離床した時点の直前の支持面１０１の荷重分布である離床前荷重分布を、複数の入力信号Ｎ１，Ｎ２，Ｎ３，Ｎ４から導出する荷重分布導出部４２と、荷重分布導出部４２によって導出された離床前荷重分布を時系列に記憶する記憶部４３と、変更可能性検出部４０によって変更可能性が検出された後に記憶部４３に離床前荷重分布が記憶された場合、記憶部４３に記憶された離床前荷重分布のうち、変更可能性検出部４０によって変更可能性が検出された時点である第一時点より前の離床前荷重分布に対して、第一時点より後の離床前荷重分布を比較した値である比較値を導出する比較値導出部４４と、比較値導出部４４によって導出された比較値が所定値以上であるか否かを判定する比較値判定部４５と、をさらに備えている。関連付け部３６は、各入力信号Ｎ１，Ｎ２，Ｎ３，Ｎ４と各出力信号Ｓ１，Ｓ２，Ｓ３，Ｓ４とが関連付けされた状態において、比較値判定部４５によって比較値が所定値以上であると判定された場合、第一時点より後の離床前荷重分布に対して各入力信号Ｎ１，Ｎ２，Ｎ３，Ｎ４と各出力信号Ｓ１，Ｓ２，Ｓ３，Ｓ４との関連を変更することにより得られる荷重分布が、第一時点より前の離床前荷重分布に近付くように、各入力信号Ｎ１，Ｎ２，Ｎ３，Ｎ４と各出力信号Ｓ１，Ｓ２，Ｓ３，Ｓ４とを再度関連付けする。
【０１３７】
これによれば、判定装置３Ｄは、使用者が離床する時点の直前の荷重分布である離床前荷重分布を導出するとともに、複数の荷重センサ２ａ，２ｂ，２ｃ，２ｄの配置を変更された変更可能性が検出された場合であって、変更可能性が検出された第一時点の前後において離床前荷重分布の比較値に所定値以上の変化があった場合、各入力信号Ｎ１，Ｎ２，Ｎ３，Ｎ４と各出力信号Ｓ１，Ｓ２，Ｓ３，Ｓ４とを自動的に再度関連付ける。具体的には、第一時点より直後の離床前荷重分布が、第一時点より直前の離床前荷重分布に近付くように、各入力信号Ｎ１，Ｎ２，Ｎ３，Ｎ４と各出力信号Ｓ１，Ｓ２，Ｓ３，Ｓ４とが再度関連付けられる。すなわち、例えばベッド１が持ち上げられたことにより、複数の荷重センサ２ａ，２ｂ，２ｃ，２ｄの配置が変更された場合においても、複数の荷重センサ２ａ，２ｂ，２ｃ，２ｄの配置が変更される前の状態となるように、各入力信号Ｎ１，Ｎ２，Ｎ３，Ｎ４と各出力信号Ｓ１，Ｓ２，Ｓ３，Ｓ４とが自動的に再度関連付けられる。よって、生体情報検出装置Ｔは、重心位置の算出や生体情報の検出を、自動的に継続して精度よく行うことができる。
【０１３８】
尚、本発明は上述した各実施形態に限定されるものではなく、本発明の要旨を逸脱しない範囲でさまざまに実施できることは勿論である。例えば、上述した各実施形態では、各荷重センサ２ａ，２ｂ，２ｃ，２ｄは、ベッドの各脚部１２ａ，１２ｂ，１２ｃ，１２ｄの下端に設けられて荷重を検知する構成であるが、これに限らず、ベッドフレーム１１と各脚部１２ａ，１２ｂ，１２ｃ，１２ｄの中間に設けて荷重を検知する構成でもよい。更に、ベッドフレーム１１とマットレス１０の各角部Ｋ１，Ｋ２，Ｋ３，Ｋ４との間に設けて荷重を検知する構成でもよい。
【０１３９】
また、荷重センサの一形態として、面状センサを用いる構成でもよい。面状センサは、マットレス１０の表面を覆うように配置するシート状、またはマットレス１０とベッドフレーム１１との間に配置されるシート状に構成されている。面状センサは、長さ方向および幅方向に格子状に複数の部位に区画されている。そして、面状センサは、各部位に加わる荷重を検知し、部位毎に検知した荷重を出力する構成である。
【０１４０】
本発明の前記の各実施形態では、テスト荷重付与位置Ｐ１，Ｐ２が判定装置３，３Ａ，３Ｂ，３Ｃ，３Ｄにより予め決められているが、これに限らず、作業者が任意に設定する構成でもよい。この場合、作業者が入力装置４を操作して、任意のテスト荷重付与位置Ｐ１，Ｐ２を設定し、任意に設定されたテスト荷重付与位置Ｐ１，Ｐ２を判定装置３，３Ａ，３Ｂ，３Ｃ，３Ｄに認識させる必要がある。
【０１４１】
前記の各実施形態では、各荷重センサ２ａ，２ｂ，２ｃ，２ｄが判定装置３，３Ａ，３Ｂ，３Ｃ，３Ｄに並列に接続され、各出力信号Ｓ１，Ｓ２，Ｓ３，Ｓ４を並列に通信する構成であるが、これに限らず、各荷重センサ２ａ，２ｂ，２ｃ，２ｄを判定装置３，３Ａ，３Ｂ，３Ｃ，３Ｄに直列に接続し、各出力信号Ｓ１，Ｓ２，Ｓ３，Ｓ４を直列に通信する構成でもよい。この場合、判定装置３，３Ａ，３Ｂ，３Ｃ，３Ｄでは、取得した入力信号を、直列に通信を行い、装置内の算出部、荷重変動タイミング検出部、センサ荷重検出部、入力信号グループ分け実行部等へ送るようにしてもよい。
【０１４２】
また、第一時点より前の離床前荷重分布を、記憶部４３に時系列に記憶された離床前荷重分布のうち第一時点より前の複数の離床前荷重分布としても良い。また、第一時点より後の離床前荷重分布を、記憶部４３に時系列に記憶された離床前荷重分布のうち第一時点より後の複数の離床前荷重分布としても良い。この場合、比較値は、複数の離床前荷重分布の平均値から導出するようにしても良い。
【０１４３】
また本発明の判定装置３，３Ａ，３Ｂは、図１２に示すように、平面視で略逆Ｌ字形の支持面１０３を有するソファベッド１Ｂ等の生体情報検出装置に適用できる。例えば、ソファベッド１Ｂは支持面１０３の複数の角部に対応する複数の脚部１２ａ，１２ｂ，１２ｃ，１２ｄ，１２ｅ，１２ｆを備え、この場合、生体情報検出装置は各脚部１２ａ，１２ｂ，１２ｃ，１２ｄ，１２ｅ，１２ｆに対応して配置された複数の荷重センサ２ａ，２ｂ，２ｃ，２ｄ，２ｅ，２ｆにより荷重を検知する構成を有する。
【０１４４】
そして、判定装置３，３Ａ，３Ｂは、脚部１２ｃに対応する位置をテスト荷重付与位置Ｐ３とし、テスト荷重付与位置Ｐ３と各脚部１２ａ，１２ｂ，１２ｃ，１２ｄ，１２ｅ，１２ｆに対応するセンサ配置位置との距離が互いに異なるよう設定し、テスト荷重を加えることで、入力信号と各荷重センサ２ａ，２ｂ，２ｃ，２ｄ，２ｅ，２ｆの出力信号との関連付けを行う。
【０１４５】
更に、本発明の判定装置３，３Ａ，３Ｂ，３Ｃ，３Ｄは、ベッド１，１Ａ、ソファベッド１Ｂに限らず、例えば、家具として、人が着座可能な椅子や人が着座可能なソファ等といった、人を支持する支持面と支持面の下に設けられた弾力を有する層とを有する敷物を備えた家具の生体情報検出装置に適用できる。
【符号の説明】
【０１４６】
１，１Ａ，１Ｂ：ベッド（家具）、１２ａ，１２ｂ，１２ｃ，１２ｄ，１２ｅ，１２ｆ：脚部、１０１，１０２，１０３：支持面、２ａ：荷重センサ（第二の荷重センサ）、２ｂ：荷重センサ（第二の荷重センサ）、２ｃ：荷重センサ（第一の荷重センサ）、２ｄ：荷重センサ（第一の荷重センサ）、２ｅ，２ｆ：荷重センサ、３，３Ａ，３Ｂ，３Ｃ，３Ｄ：家具用入力信号判定装置（判定装置）、３０ａ：第一取得部（取得部）、３０ｂ：第二取得部（取得部）、３０ｃ：第三取得部（取得部）、３０ｄ：第四取得部（取得部）、３１：算出部、３５：荷重変動タイミング検出部、３６：関連付け部、３７：センサ荷重検出部、３８：入力信号グループ分け実行部、３９：荷重正負導出部、４０：変更可能性検出部、４１：通知部、４２：荷重分布導出部、４３：記憶部、４４：比較値導出部、４５：比較値判定部、５ａ：センサ配置位置（第一のセンサ配置）、５ｂ：センサ配置位置（第一のセンサ配置）、５ｃ：センサ配置位置（第二のセンサ配置）、５ｄ：センサ配置位置（第二のセンサ配置）、Ｋ１，Ｋ２，Ｋ３，Ｋ４：角部、Ｎ１：入力信号（第一の入力信号）、Ｎ２：入力信号（第一の入力信号）、Ｎ３：入力信号（第二の入力信号）、Ｎ４：入力信号（第二の入力信号）、Ｐ１，Ｐ２，Ｐ３：テスト荷重付与位置、Ｓ１，Ｓ２，Ｓ３，Ｓ４：出力信号、Ｔ：生体情報検出装置。
【図１】
2018054589.tif 000003
【図２】
2018054589.tif 000004
【図３】
2018054589.tif 000005
【図４】
2018054589.tif 000006
【図５】
2018054589.tif 000007
【図６】
2018054589.tif 000008
【図７】
2018054589.tif 000009
【図８】
2018054589.tif 000010
【図９】
2018054589.tif 000011
【図１０】
2018054589.tif 000012
【図１１】
2018054589.tif 000013
【図１２】
2018054589.tif 000014
【図１３】
2018054589.tif 000015
【図１４】
2018054589.tif 000016
【図１５】
2018054589.tif 000017
【図１６】
2018054589.tif 000018